(57)【要約】受信部（１０２）、番組復元部（１０３）、制御信号生成部（１０５）、通信部（１０６）と、これらを制御するための制御部（１０１）を備えて、放送受像装置（１０）を構成する。制御部（１０１）が録画開始の制御信号を外部の装置である放送録画装置（１１）に通知する際に、録画パラメータの全部もしくは一部をユーザに提示する。こうして、宅外の放送受像装置で受信し受像中の番組と同一の番組を、ユーザの指定した適当な録画パラメータに基づいて宅内の放送録画装置で録画することが可能な放送受像装置を提供する。
2003041399.tif 000002
【特許請求の範囲】
【請求項１】
放送信号を受信するための受信部と、受信した放送信号を映像信号および音声信号に復元するための番組復元部とを備えた放送受像装置であって、
受像中の番組と同一の番組を外部の放送録画装置で録画開始させる制御信号を生成するとともに、所定の録画パラメータを通知する制御信号を生成するための制御信号生成部と、
前記制御信号を外部の装置に通知するための通信部と、
前記受信部、前記番組復元部、前記制御信号生成部、および前記通信部を制御するための制御部とを備え、
前記制御部が録画開始の制御信号を外部の装置に通知する際に、録画パラメータの全部もしくは一部をユーザに提示することを特徴とする放送受像装置。
【請求項２】
放送信号を受信するための受信部と、受信した放送信号を映像信号および音声信号に復元するための番組復元部と、受像した番組を記録するための記録部とを備えた放送録画装置であって、
外部の装置から通知される制御信号を受信するための通信部と、
録画パラメータを含む受信した制御信号を解釈し実行するための制御部とを備え、
前記制御部は、外部の放送受像装置で受信し受像中の番組と同一の番組を、前記制御信号中の録画パラメータに従って当該放送録画装置で録画開始するように制御することを特徴とする放送録画装置。
【請求項３】
ディジタル放送信号を受信するための受信部と、受信したディジタル放送信号からトランスポートストリームを抽出するためのＴＳ抽出部と、指定した番組のトランスポートストリームを記録するための記録部とを備えた放送録画装置であって、
外部の装置から通知される制御信号を受信するための通信部と、
録画パラメータを含む受信した制御信号を解釈し実行するための制御部とを備え、
前記制御部は、外部の放送受像装置で受信し受像中の番組と同一の番組を、前記制御信号中の録画パラメータに従って当該放送録画装置で録画開始するように制御することを特徴とする放送録画装置。
【請求項４】
前記受信部は、ディジタル放送信号を受信するための部分と、受信したディジタル放送信号からトランスポートストリームを抽出するためのＴＳ抽出部とから構成され、
前記番組復元部は、前記トランスポートストリームから圧縮された映像信号および音声信号を復号するための多重化復号部と、前記圧縮された映像信号および音声信号から映像信号および音声信号を復号するための番組復号部とから構成され、
復号された映像信号および音声信号を所定の符号化方法および符号化パラメータによって圧縮するための番組圧縮部と、
圧縮された映像信号および音声信号を所定の多重化方法によって多重化するための多重化部とを備えたことを特徴とする請求の範囲第２項記載の放送録画装置。
【請求項５】
放送受像装置からの制御信号を受信するための第１の通信部と、放送録画装置に制御信号を通知するための第２の通信部と、前記放送受像装置から受信した制御信号を解釈し、前記放送録画装置が解釈できる制御信号に変換して、前記放送録画装置に通知するための制御部とを備えた遠隔制御装置であって、
前記制御部は、前記放送受像装置で受信し受像中の番組と同一の番組を、前記放送録画装置で録画開始するように制御することを特徴とする遠隔制御装置。
【請求項６】
前記第１の通信部と前記第２の通信部とを一体とした１つの通信部を用いることを特徴とする請求の範囲第５項記載の遠隔制御装置。
【請求項７】
前記通信部が外部の放送録画装置からの映像番組を受信し、受信した映像番組を前記番組復元部が映像信号と音声信号に復号することによって、前記外部の放送録画装置から送信される映像番組を受信し受像することを特徴とする請求の範囲第１項記載の放送受像装置。
【請求項８】
外部の放送録画装置から送信される放送番組を受信するための通信部と、受信した放送番組から圧縮された映像信号および音声信号を抜き出すための多重化復号部と、前記圧縮された映像信号および音声信号から映像信号および音声信号を復号するための番組復号部とを備え、前記外部の放送録画装置で受信中の放送番組を受像するための放送受像装置であって、
前記外部の放送録画装置で受信し当該放送受像装置で受像中の番組と同一の番組を、前記外部の放送録画装置で録画開始させる制御信号を生成するための制御信号生成部を備え、
前記通信部により前記制御信号を外部の装置に通知することを特徴とする放送受像装置。
【請求項９】
録画開始の制御信号を外部の装置に通知する際に、録画終了に関する時刻情報を同時に通知することを特徴とする請求の範囲第１項または第８項記載の放送受像装置。
【請求項１０】
録画開始の制御信号を外部の装置に通知する際に、録画時間に関する時間情報を同時に通知することを特徴とする請求の範囲第１項または第８項記載の放送受像装置。
【請求項１１】
録画開始の制御信号を外部の装置に通知する際に、録画開始に関する時刻情報を同時に通知することを特徴とする請求の範囲第１項または第８項記載の放送受像装置。
【請求項１２】
録画開始の制御信号を外部の装置に通知する際に、前記外部の放送録画装置が録画開始の制御信号を受信する時間と、実際に前記外部の放送録画装置で録画が開始される時間との時間差情報を同時に通知することを特徴とする請求の範囲第１項または第８項記載の放送受像装置。
【請求項１３】
前記通信部により、圧縮され多重化された映像番組を外部の装置に送信することを特徴とする請求の範囲第４項記載の放送録画装置。
【請求項１４】
前記記録部から入力された映像番組を、前記多重化復号部で圧縮された映像信号および音声信号に復号し、前記圧縮された映像信号および音声信号を前記番組復号部で映像信号および音声信号に復号し、復元された映像番組を前記番組圧縮部で所定の符号化方法および符号化パラメータによって圧縮し、前記圧縮された映像信号および音声信号を前記多重化部で所定の多重化方法によって多重化し、前記多重化部の出力を前記通信部で外部の装置に送信することを特徴とする請求の範囲第４項記載の放送録画装置。
【請求項１５】
前記記録部に記録された映像番組から、圧縮された映像信号および音声信号を抜き出すための第２の多重化復号部と、
圧縮された映像信号と圧縮された音声信号から、映像信号および音声信号を復号するための第２の番組復号部とを備え、
前記第２の番組復号部で復号された前記映像信号および音声信号を、前記番組圧縮部で圧縮し、前記多重化部で多重化し、前記通信部で外部の装置に送信することを特徴とする請求の範囲第４項記載の放送録画装置。
【請求項１６】
前記番組復号部で復号された前記放送番組を、所定の符号化方法および符号化パラメータによって圧縮するための第２の番組圧縮部と、
圧縮された映像信号および音声信号を所定の多重化方法で多重化するための第２の多重化部とを備え、
前記第２の多重化部から入力される圧縮され多重化された放送番組を、前記通信部が外部の装置に送信することを特徴とする請求の範囲第４項記載の放送録画装置。
【請求項１７】
前記記録部で記録された映像番組を、圧縮された映像信号および音声信号に復号するための第２の多重化復号部と、
前記第２の多重化復号部から出力される圧縮された映像信号および音声信号を映像信号および音声信号に復号するための第２の番組復号部と、
前記第２の番組復号部で復号される映像信号および音声信号を所定の符号化方法および符号化パラメータによって圧縮するための第２の番組圧縮部と、
前記第２の番組圧縮部で圧縮された映像信号および音声信号を所定の多重化方法によって多重化するための第２の多重化部とを備え、
前記通信部により、前記第２の多重化部で多重化された映像番組を外部の装置に送信することを特徴とする請求の範囲第４項記載の放送録画装置。
【発明の詳細な説明】
技術分野
本発明は、放送を受像するための放送受像装置、放送を録画するための放送録画装置、および制御信号を通知するための遠隔制御装置に関する。
背景技術
従来、宅外で放送番組を視聴するための携帯型の放送受像装置が知られており、宅外に居ながら好みの放送番組を視聴することができる。また、このような放送受像装置に対して、ＡＶ（コンポジット）入力端子付きのビデオカメラなどを接続することにより、放送を録画することも可能になる。
また、ビデオテープレコーダ装置やハードディスク録画装置を用いた放送録画装置が広く普及しており、電話回線などを使って宅外から録画予約を行う技術も知られている。
また、特開２０００−３３９７９４号公報には、受像装置と録画装置から構成される受像録画システムであって、受像装置側に配置されたスイッチを押し下げることよって、受像装置により視聴中の番組を録画する受像録画システムが開示されている。
しかしながら、宅外において携帯型の放送受像装置により放送番組を視聴している際に、現在視聴中の放送番組をそのまま録画しようとする場合、外部の装置にビデオカメラなどの録画装置を接続する方法では、機材が大きくかさばるという問題があった。
また、放送録画装置を遠隔操作する方法として、上述した特開２０００−３３９７９４号公報に開示された受像録画システムがあるが、スイッチを押し下げると、受像装置により現在視聴中の番組を、録画装置により録画するという単純なシステムであるため、遠隔地から番組を録画しようとするユーザが、録画品質や音声品質、録画終了予定時間などの録画パラメータを設定したり、設定を確認したいと思っても、これを行うことができないという問題があった。さらに、この受像録画システムでは、遠隔地では受信できない放送番組を録画しようとしたケースについては何ら考慮されていない。
本発明は、上述した事情に鑑み提案されたもので、宅外の放送受像装置で受信し受像中の番組と同一の番組を、ユーザの指定した適当な録画パラメータに基づいて宅内の放送録画装置で録画することが可能な放送受像装置、放送録画装置および遠隔制御装置を提供することを目的とする。
発明の開示
本発明に係る放送受像装置、放送録画装置および遠隔制御装置は、上述した目的を達成するため、以下の特徴点を備えている。
すなわち、本発明に係る放送受像装置は、放送信号を受信するための受信部と、受信した放送信号を映像信号および音声信号に復元するための番組復元部とを備えた放送受像装置であって、受像中の番組と同一の番組を外部の放送録画装置で録画開始させる制御信号を生成するとともに、所定の録画パラメータを通知する制御信号を生成するための制御信号生成部と、前記制御信号を外部の装置に通知するための通信部と、前記受信部、前記番組復元部、前記制御信号生成部、および前記通信部を制御するための制御部とを備え、前記制御部が録画開始の制御信号を外部の装置に通知する際に、録画パラメータの全部もしくは一部をユーザに提示することを特徴とするものである。
この場合、録画開始の制御信号を外部の装置に通知する際に、録画終了に関する時刻情報を同時に通知するように構成することが可能である。
また、録画開始の制御信号を外部の装置に通知する際に、録画時間に関する時間情報を同時に通知するように構成することが可能である。
また、録画開始の制御信号を外部の装置に通知する際に、録画開始に関する時刻情報を同時に通知するように構成することが可能である。
また、録画開始の制御信号を外部の装置に通知する際に、外部の放送録画装置が録画開始の制御信号を受信する時間と、実際に前記外部の放送録画装置で録画が開始される時間との時間差情報を同時に通知するように構成することが可能である。
また、前記通信部が外部の装置からの映像番組を受信し、受信した映像番組を前記番組復元部が映像信号と音声信号に復号することによって、外部の装置から送信される映像番組を受信し受像するように構成することが可能である。
本発明に係る放送録画装置は、放送信号を受信するための受信部と、受信した放送信号を映像信号および音声信号に復元するための番組復元部と、受像した番組を記録するための記録部とを備えた放送録画装置であって、外部の装置から通知される制御信号を受信するための通信部と、録画パラメータを含む受信した制御信号を解釈し実行するための制御部とを備え、前記制御部は、外部の放送受像装置で受信し受像中の番組と同一の番組を、前記制御信号中の録画パラメータに従って当該放送録画装置で録画開始するように制御することを特徴とするものである。
この場合、前記受信部は、ディジタル放送信号を受信するための部分と、受信したディジタル放送信号からトランスポートストリームを抽出するためのＴＳ抽出部とから構成され、前記番組復元部は、前記トランスポートストリームから圧縮された映像信号および音声信号を復号するための多重化復号部と、前記圧縮された映像信号および音声信号から映像信号および音声信号を復号するための番組復号部とから構成され、復号された映像信号および音声信号を所定の符号化方法および符号化パラメータによって圧縮するための番組圧縮部と、圧縮された映像信号および音声信号を所定の多重化方法によって多重化するための多重化部とを備えて構成することが可能である。
さらに、前記通信部により、圧縮され多重化された映像番組を外部の装置に送信するように構成することが可能である。
また、前記記録部から入力された映像番組を、前記多重化復号部で圧縮された映像信号および音声信号に復号し、前記圧縮された映像信号および音声信号を前記番組復号部で映像信号および音声信号に復号し、復元された映像番組を前記番組圧縮部で所定の符号化方法および符号化パラメータによって圧縮し、前記圧縮された映像信号および音声信号を前記多重化部で所定の多重化方法によって多重化し、前記多重化部の出力を前記通信部で外部の装置に送信するように構成することが可能である。
また、前記記録部に記録された映像番組から、圧縮された映像信号および音声信号を抜き出すための第２の多重化復号部と、圧縮された映像信号と圧縮された音声信号から、映像信号および音声信号を復号するための第２の番組復号部とを備え、前記第２の番組復号部で復号された前記映像信号および音声信号を、前記番組圧縮部で圧縮し、前記多重化部で多重化し、前記通信部で外部の装置に送信するように構成することが可能である。
また、前記番組復号部で復号された前記放送番組を、所定の符号化方法および符号化パラメータによって圧縮するための第２の番組圧縮部と、圧縮された映像信号および音声信号を所定の多重化方法で多重化するための第２の多重化部とを備え、前記第２の多重化部から入力される圧縮され多重化された放送番組を、前記通信部が外部の装置に送信するように構成することが可能である。
また、前記記録部で記録された映像番組を、圧縮された映像信号および音声信号に復号するための第２の多重化復号部と、前記第２の多重化復号部から出力される圧縮された映像信号および音声信号を映像信号および音声信号に復号するための第２の番組復号部と、前記第２の番組復号部で復号される映像信号および音声信号を所定の符号化方法および符号化パラメータによって圧縮するための第２の番組圧縮部と、前記第２の番組圧縮部で圧縮された映像信号および音声信号を所定の多重化方法によって多重化するための第２の多重化部とを備え、前記通信部により、前記第２の多重化部で多重化された映像番組を外部の装置に送信するように構成することが可能である。
本発明に係る放送録画装置は、ディジタル放送信号を受信するための受信部と、受信したディジタル放送信号からトランスポートストリームを抽出するためのＴＳ抽出部と、指定した番組のトランスポートストリームを記録するための記録部とを備えた放送録画装置であって、外部の装置から通知される制御信号を受信するための通信部と、録画パラメータを含む受信した制御信号を解釈し実行するための制御部とを備え、前記制御部は、外部の放送受像装置で受信し受像中の番組と同一の番組を、前記制御信号中の録画パラメータに従って当該放送録画装置で録画開始するように制御することを特徴とするものである。
本発明に係る遠隔制御装置は、放送受像装置からの制御信号を受信するための第１の通信部と、放送録画装置に制御信号を通知するための第２の通信部と、前記放送受像装置から受信した制御信号を解釈し、前記放送録画装置が解釈できる制御信号に変換して、前記放送録画装置に通知するための制御部とを備えた遠隔制御装置であって、前記制御部は、前記放送受像装置で受信し受像中の番組と同一の番組を、前記放送録画装置で録画開始するように制御することを特徴とするものである。
この場合、前記第１の通信部と前記第２の通信部とを一体とした１つの通信部を用いることが可能である。
本発明に係る放送受像装置は、外部の放送録画装置から送信される放送番組を受信するための通信部と、受信した放送番組から圧縮された映像信号および音声信号を抜き出すための多重化復号部と、前記圧縮された映像信号および音声信号から映像信号および音声信号を復号するための番組復号部とを備え、前記外部の放送録画装置で受信中の放送番組を受像するための放送受像装置であって、前記外部の放送録画装置で受信し当該放送受像装置で受像中の番組と同一の番組を前記外部の放送録画装置で録画開始させる制御信号を生成するための制御信号生成部を備え、前記通信部により前記制御信号を外部の装置に通知することを特徴とするものである。
この場合、録画開始の制御信号を外部の装置に通知する際に、録画終了に関する時刻情報を同時に通知するように構成することが可能である。
また、録画開始の制御信号を外部の装置に通知する際に、録画時間に関する時間情報を同時に通知するように構成することが可能である。
また、録画開始の制御信号を外部の装置に通知する際に、録画開始に関する時刻情報を同時に通知するように構成することが可能である。
また、録画開始の制御信号を外部の装置に通知する際に、外部の放送録画装置が録画開始の制御信号を受信する時間と、実際に前記外部の放送録画装置で録画が開始される時間との時間差情報を同時に通知するように構成することが可能である。
発明を実施するための最良の形態
以下、図面に示す具体的な実施例に基づいて、本発明に係る放送受像装置、放送録画装置および遠隔制御装置の実施形態を説明する。
＜第１の実施形態＞
以下、本発明の第１の実施形態について説明する。
図１は、本発明の第１の実施形態における放送受像装置１０側の構成を示すブロック図である。
本発明の第１の実施形態は、図１に示すように、放送受像装置１０と放送録画装置１１から構成される。また、放送受像装置１０と放送録画装置１１は、ともに基地局から放送電波を受信する。また、放送受像装置１０は、受信した放送番組を受像することができ、放送録画装置１１は、受信した放送番組を録画することができる。さらに、放送受像装置１０は、放送録画装置１１と通信を行って放送録画装置１１を制御する。
第１の実施形態に係る放送受像装置１０は、制御部１０１、受信部１０２、番組復元部１０３、ユーザＩＦ部１０４、制御信号生成部１０５、および通信部１０６から構成される。
以下、各部の詳細を説明する。
受信部１０２は、基地局から放送電波を受信し、複数の放送番組をまとめた放送電波から１つの放送番組に対する放送信号を出力する。例えば、アナログ放送の場合には、受信部１０２はＲＦ部から構成される。また、ディジタル放送の場合には、ＲＦ部、伝送路信号復調部、トランスポートストリーム復号部（ＴＳ抽出部）から構成され、１つの放送番組に対応するトランスポートストリームを出力する。
伝送路信号復調部では、例えば、ＢＰＳＫ、ＱＰＳＫ、ＴＣ−８ＰＳＫ、ＯＦＤＭなどの伝送路符号化方式と、畳み込み符号、リードソロモン符号、トレリス符号などの誤り訂正方式について復調を行う。
番組復元部１０３は、受信部１０２からの入力に基づいて、放送番組の放送信号を映像信号および音声信号に復元する。
ユーザＩＦ部１０４は、復元した映像信号および音声信号を再生するとともに、ユーザからの操作を受け付ける。
制御信号生成部１０５は、制御部１０１からの指示に従って、ユーザから指定された録画パラメータに適合する適当な制御信号を生成する。
通信部１０６は、制御部１０１からの指示に従って、制御信号を外部の装置に通知するとともに、放送録画装置１１からの応答信号を受信して制御部１０１に通知する。
制御部１０１は、ユーザＩＦ部１０４で受け付けたユーザの操作に応じて、受信部１０２、番組復元部１０３、ユーザＩＦ部１０４、制御信号生成部１０５、および通信部１０６の制御を行う。
なお、この第１の実施形態では、ユーザＩＦ部１０４に備えるディスプレイ２０１とスピーカ２０４とによって、映像信号および音声信号を再生する構成を説明するが、コンポジット出力等で外部の再生装置に映像信号および音声信号を出力することによって、外部の再生装置で映像信号および音声信号を再生する構成としてもよい。
図２は、ユーザＩＦ部１０４の構成を示す模式図である。
ユーザＩＦ部１０４は、図２に示すように、番組復元部１０３で復元された映像信号を表示するためのディスプレイ２０１と、録画開始時間および録画終了予定時間を表示するための録画時間ディスプレイ２０２と、色と点滅状態により放送録画装置１１の状態を表示するための状態表示ＬＥＤ２０３を、表示部として有し、さらに番組復元部１０３で復元された音声信号を再生するためのスピーカ２０４を備えている。
また、ユーザＩＦ部１０４は、視聴する放送番組の変更操作を受け付けるためのチャンネル２０５と、録画開始、録画の一時停止、および録画再開の操作を受け付けるための録画／一時停止ボタン２０６と、録画の停止操作を受け付けるための停止ボタン２０７と、録画終了予定時間の変更操作を受け付けるための終了時間変更ボタン２０８と、ＳＴＡＮＤＢＹ状態とＳＬＥＥＰ状態との間の切り替え要求を受け付けるための録画待機／通常待機ボタン２０９を、操作部として備えている。
各部の詳細を説明すると、状態表示ＬＥＤ２０３は、赤色が点灯した場合には放送録画装置１１がＲＥＣ状態（録画状態）であることを意味し、赤色が点滅した場合にはＰＡＵＳＥ状態（録画一時停止状態）であることを意味し、橙色が点灯した場合にはＳＴＡＮＤＢＹ状態であることを意味し、緑色が点灯した場合にはＳＬＥＥＰ状態であることを意味する。また、いずれの色も点灯あるいは点滅していない場合には放送録画装置１１と通信できない状態であることを意味する。
一方、録画／一時停止ボタン２０６がどのような操作を受け付けるかは、外部の放送録画装置１１の状態によって変化する。すなわち、放送録画装置１１がＳＬＥＥＰ状態もしくはＳＴＡＮＤＢＹ状態の場合には録画開始操作を受け付け、ＲＥＣ状態の場合には録画の一時停止操作を受け付ける。また、ＰＡＵＳＥ状態の場合には、録画の再開操作を受け付ける。
終了時間変更ボタン２０８の操作では、録画時間の延長、短縮操作を行う。第１の実施形態では、３０分単位の上下ボタンと、１分単位の上下ボタンを備え、３０分単位および１分単位で録画終了予定時間の延長、短縮操作を受け付けることができる。
ところで、録画終了予定時間が未定の場合、録画時間ディスプレイ２０２の録画終了時間欄には横線を表示する。
録画待機／通常待機ボタン２０９では、放送録画装置１１の状態を、ＳＬＥＥＰ状態とＳＴＡＮＤＢＹ状態の間で変更する。なお、ＳＬＥＥＰ状態およびＳＴＡＮＤＢＹ状態とは、放送録画装置１１の状態のことである。また、ＳＴＡＮＤＢＹ状態とは、放送番組をすばやく録画できるようにした状態のことである。例えば、放送信号を受像する受像手段や番組復元手段を起動して、あとは記録手段を動作させるだけの状態にするという方法がある。ＳＬＥＥＰ状態は、ＳＴＡＮＤＢＹ状態に入る前の通常の待機状態のことである。ＳＬＥＥＰ状態としては、例えば消費電力を下げるために、通信手段や制御手段を除く幾つかの手段の電源を落とした状態が考えられる。
第１の実施形態では、所定の時間が経過した後に自動的に録画を停止させることができるようにして、放送受像装置１０から録画終了予定時間を設定することが可能である。このような構成とすることにより、録画を停止するときの面倒を避けることができる。
終了時間変更ボタン２０８は、録画終了予定時間を変更する機能のために使用される。また、録画時間ディスプレイ２０２は、録画終了予定時間をユーザに知らせるために使用される。
次に、ユーザが録画パラメータを指定する方法を説明する。
録画待機／通常待機ボタン２０９を操作して、ＳＴＡＮＤＢＹ状態に遷移する場合や、まだ一度も録画パラメータを設定していない状態で録画／一時停止ボタン２０６を操作して録画を開始させる場合に、録画パラメータ設定状態に遷移する。
録画パラメータ設定状態では、録画品質、録画終了予定時間、録画が継続録画か否か等を設定することができ、ユーザには、図２９に示す録画パラメータ設定画面が示される。
図２９は、録画パラメータ設定状態におけるディスプレイ２０１の表示を示す説明図である。なお、図２９では、ディスプレイ２０１を符号２９０１で示している。
図２９において、左側の列には、録画のパラメータ名が示され、右側の列には、各パラメータの値が示されている。ここでは、録画のパラメータ名の下に下線のあるものについて、パラメータの値を変更することができる。なお、カーソルバー２９０２は、変更可能なパラメータのいずれかの値に位置している。
ユーザは、チャンネル２０５の上下によって、カーソルバー２９０２を上下に移動することができる。また、録画／一時停止ボタン２０６を操作することによって、カーソルバー２９０２が位置しているパラメータの値を変更することができる。例えば、図２９に示す例では、録画品質の欄にカーソルバー２９０２が位置しているが、この場合、録画／一時停止ボタン２０６を操作する毎に、１２８Ｋ、３８４Ｋ、１０００Ｋ、４０００Ｋ、８０００Ｋ、１２８Ｋ、３８４Ｋ、・・・というように、録画品質を表す値をサイクリックに変更することができる。図２９に示す例では、録画品質を表す値として、ＢＰＳ（ＢＩＴ  ＰＥＲ  ＳＥＣＯＮＤ）を単位とするビットレート相当で表示しているが、録画品質をＨＩＧＨ、ＬＯＷなどと表してもよい。
継続録画の欄にカーソルバー２９０２が位置している場合には、録画／一時停止ボタン２０６を操作する毎に、ＯＮとＯＦＦが切り替わる。
録画終了予定時間にカーソルバー２９０２が位置している場合には、録画／一時停止ボタン２０６を操作する毎に、指定なし、３０分、６０分、９０分、１２０分、指定なし、・・・というように、録画終了予定時間をサイクリックに変更することができる。ただし、録画終了予定時間については、前述したように終了時間変更ボタン２０８を用いて変更することもできる。
また、停止ボタン２０７を操作すると、録画パラメータが制御信号生成部１０５に記録され、録画パラメータ設定状態を抜け出すことができる。設定された録画パラメータは、録画開始要求を通知する際に外部の装置に通知される。
また、始めて録画パラメータ設定状態に遷移した場合には、録画パラメータのデフォルト値が指定されている。デフォルト値としては、例えば、ビットレートは４０００Ｋ、録画終了時間は６０分（３６００秒）とする。
次に、継続録画について説明する。
通常、ディジタル録画を行うと、録画を開始する毎に別ファイルとして記録されるため、録画と停止を繰り返した場合には、細切れのファイルができて扱いに困ることになる。継続録画とは、この問題を避けるためのものであり、継続録画が指定されている場合には、前回録画したファイルと同じファイルに追加して録画が行われる。
また、第１の実施形態では、録画パラメータとして、録画品質、録画終了予定時間、継続録画が指定できるようになっているが、他の構成として、例えば、録画媒体の種類、音声品質、記録容量が一杯であった場合に書きつぶす領域の指定、録画音声がモノラル左かモノラル右かステレオか、コマーシャルを記録するか否か、録画中にチャンネルを切り替えた場合に録画する放送番組のチャンネルも切り替えるか否か等を追加することができる。
録画パラメータに録画媒体の種類を追加することにより、例えばハードディスク、メモリーカード等の中から録画媒体を選択することができる。なお、第１の実施形態では、録画パラメータ設定状態へ遷移する場合を、録画待機／通常待機ボタン２０９を操作してＳＴＡＮＤＢＹ状態に遷移する場合としたが、録画パラメータ設定ボタン等を設け、そのボタンが操作された場合とすることができる。
このように、第１の実施形態の放送受像装置１０では、放送番組を視聴しながら、ユーザの設定する録画パラメータに基づいて、視聴する放送番組の録画操作を行うことができる。また、第１の実施形態の放送録画装置１１では、放送受像装置１０からの制御信号を受信して、放送受像装置１０で受像中の放送番組を録画することができる。これにより、ユーザが視聴中の放送番組を録画したいと考えた際に、宅外にいる場合であっても宅内の放送録画装置１１を用いて、適当な録画パラメータを用いた録画が可能となる。このため、放送受像装置１０を簡易な構成としたままで、ユーザには高画質を含む多機能な録画機能を提供することができる。
なお、後述するが、録画開始時に録画パラメータの全部もしくは一部をユーザに提示するため、ユーザが録画を行う際に、その録画パラメータを知ることができる。また、録画予約システムとは異なるため、予め録画時間を決定しておく必要がなく、放送番組の任意の一部分を宅外から録画することができる。
次に、第１の実施形態について、その詳細動作を説明する。
まず、図３〜５を参照して、第１の実施形態における通信方法と通信プロトコルの一構成例を説明する。なお、以下に説明する通信方法および通信プロトコルは、後述する他の実施形態においても共通して用いられる（通信プロトコルについては、後述する他の実施形態では拡張される）。
図３は、第１の実施形態に係る放送受像装置１０と外部の装置との間でなされる通信シーケンスを示す説明図である。ここで、外部の装置とは、放送録画装置１１および遠隔制御装置１２が該当する。
放送受像装置１０と外部の装置との間で通信を行うには、図３に示すように、まず、放送受像装置１０と外部の装置との接続を確立する（Ｓ３０１）。このステップＳ３０１では、必要に応じて認証も行う。続いて、放送受像装置１０は、放送録画装置１１を制御するための制御信号を通知するとともに（Ｓ３０２）、外部の装置からの応答信号を受信する（Ｓ３０３）。ステップＳ３０２における制御信号の通知およびステップＳ３０３における応答信号の受信は、必要な回数繰り返し行われる。そして、必要な操作が終了すると、放送受像装置１０と外部の装置との接続が切断される（Ｓ３０４）。
図４は、第１の実施形態における制御信号および応答信号のプロトコルを示す説明図である。図４では、制御信号と応答信号の例が１つずつ上下に示されている。
図４に示すように、制御信号のプロトコルは、コマンドとコマンド属性から構成され、応答信号のプロトコルは、リプライとリプライ属性から構成される。コマンド属性およびリプライ属性には値を持つものもある。
例えば、図４の上段には、制御信号の例として、ＲＥＣのコマンドと、ＣＨＧ、ＡＲＥＡ、ＢＩＴＲＡＴＥ、ＮＯＷのコマンド属性から構成されるプロトコルが示されている。ＣＨＧ、ＡＲＥＡ、ＢＩＴＲＡＴＥの各コマンド属性は、それぞれ１０、２０、３８４の値を持ち、ＮＯＷのコマンド属性は値を持たない。
図４の下段には、応答信号の例として、ＰＡＵＳＥのリプライと、ＣＨＧ、ＡＲＥＡ、ＵＮＴＩＬのリプライ属性から構成されるプロトコルが示されている。なお、第１の実施形態では、プロトコルは、半角のＡＳＣＩＩ文字からなる文字列で表現される。
図５は、第１の実施形態における通信プロトコルの構成を示す説明図である。
図５（ａ）には、コマンドの一覧と各コマンドに対応するリプライが示されている。コマンドには、ＳＴＡＴ、ＲＥＣ、ＰＡＵＳＥ、ＳＴＯＰ、ＳＴＡＮＤＢＹ、ＳＬＥＥＰの６つがある。
また、各コマンドに対応するリプライがリプライ欄に示されている。例えば、ＳＴＡＴコマンドのリプライ欄には、ＲＥＣ｜ＰＡＵＳＥ｜ＳＴＡＮＤＢＹ｜ＳＬＥＥＰと示されているが、これはＳＴＡＴコマンドの応答として、ＲＥＣ、ＰＡＵＳＥ、ＳＴＡＮＤＢＹ、ＳＬＥＥＰのいずれかのリプライを応答信号として受け取ることを意味する。
ここで、ＲＥＣのリプライとは、放送録画装置１１がＲＥＣ状態であることを示し、ＰＡＵＳＥ、ＳＴＡＮＤＢＹ、ＳＬＥＥＰはそれぞれ、ＰＡＵＳＥ状態、ＳＴＡＮＤＢＹ状態、ＳＬＥＥＰ状態であることを示す。
次に、ＰＡＵＳＥ、ＳＴＡＮＤＢＹ、ＳＬＥＥＰコマンドについてリプライ欄を参照すると、ＯＫ｜ＮＯＴＳＵＰ｜ＥＲＲ｜ＣＡＮＴと示されているが、これは、これらのコマンドの応答信号として、成功を示すＯＫもしくは、非対応を示すＮＯＴＳＵＰ、文法エラーを示すＥＲＲ、不可能を示すＣＡＮＴのいずれかのリプライを受け取ることを意味する。
コマンドは制御信号の構成要素の１つで、放送録画装置１１に対して各種の動作を要求するものである。
ＳＴＡＴコマンドは、放送録画装置１１に自身の状態を応答することを要求し、ＲＥＣコマンドは、録画を開始もしくは再開することを要求する。ＰＡＵＳＥコマンドは、放送録画装置１１の録画動作を一時停止することを要求し、ＳＴＯＰコマンドは、放送録画装置１１の録画動作を停止することを要求する。ＳＴＡＮＤＢＹコマンドは、現在受信し受像中の番組と同一の番組を放送録画装置１１側ですばやく録画できるようにするために、予め放送録画装置１１をＳＴＡＮＤＢＹ状態にすることを要求する。ＳＬＥＥＰコマンドは、ＳＴＡＮＤＢＹ状態からＳＬＥＥＰ状態に戻すことを要求する。
コマンドおよびリプライには、コマンド属性やリプライ属性を持つものがあり、これらの構成は、図５（ｂ）（ｃ）に示してある。また、コマンド属性およびリプライ属性の中には、値を持つものがある。この構成は、図５（ｄ）に示してある。
図５（ｂ）において、ＲＥＣコマンドに対応するコマンド属性の欄を参照すると、ＣＨＧ＆ＡＲＥＡ＆（ＮＯＷ｜ＵＮＴＩＬ｜ＦＯＲ）＆ＢＩＴＲＡＴＥ＆ＣＯＮＴＩＮＵＥ＊＆ＡＤＪＵＳＴ＊となっている。これは、ＲＥＣコマンドには、ＣＨＧとＡＲＥＡおよび（ＮＯＷ｜ＵＮＴＩＬ｜ＦＯＲ）およびＢＩＴＲＡＴＥのコマンド属性が必須であり、ＡＤＪＵＳＴのコマンド属性と、ＣＯＮＴＩＮＵＥのコマンド属性がオプションであることを意味する。
（ＮＯＷ｜ＵＮＴＩＬ｜ＦＯＲ）が必須であるとは、ＮＯＷ、ＵＮＴＩＬ、ＦＯＲのいずれか１つのコマンド属性が必須であることを示す。なお、上述したように、２つ以上のコマンド属性が一括りとして指定されている場合には、そのうち１つのコマンドのみの指定が必須であり、２つ以上のコマンドを指定してはならない。また、ＡＤＪＵＳＴおよびＣＯＮＴＩＮＵＥのコマンド属性には、「＊」が付されているが、「＊」が付された属性はオプションであり、付加しても付加しなくてもよい。
図５（ｃ）において、ＲＥＣリプライのリプライ属性を参照すると、ＣＨＧ＆ＡＲＥＡ＆（ＮＯＷ｜ＵＮＴＩＬ｜ＦＯＲ）となっている。これは、ＣＨＧとＡＲＥＡのコマンド属性が必須であり、さらにＮＯＷ、ＵＮＴＩＬ、ＦＯＲのうちの１つのコマンド属性が必須であることを示す。
次に、各コマンド属性の意味を説明すると、ＣＨＧは、現在視聴中のチャンネル番号を通知するものであり、ＡＲＥＡは、放送受像装置１０が存在する場所を通知するものである。ＮＯＷは、今からすぐ録画を開始せよという指令を通知するものであり、ＵＮＴＩＬは、何時何分まで録画をするかという録画終了予定時間を指定するものである。ＦＯＲは、何秒間録画するかを指定するものである。ＢＩＴＲＡＴＥは、録画品質を指定するものである。ＣＯＮＴＩＮＵＥは、継続録画が指定された場合に付加される。
次に、リプライ属性の意味を説明すると、ＣＨＧは、現在録画中もしくは録画一時停止中のチャンネル番号を応答するものであり、ＡＲＥＡは、放送録画装置１１が存在する場所を応答するものである。ＮＯＷは、特に終了時間が指定されていないことを応答するものであり、ＵＮＴＩＬは、何時何分まで録画をするかという録画終了予定時間を応答するものである。
ＣＨＧ、ＡＲＥＡ、ＵＮＴＩＬ、ＦＯＲ、ＢＩＴＲＡＴＥの各コマンド属性およびリプライ属性は、図５（ｄ）に示すように、それぞれ値を持っている。
すなわち、ＣＨＧはチャンネル番号、ＡＲＥＡはエリア番号、ＵＮＴＩＬは時刻、ＦＯＲは秒、ＢＩＴＲＡＴＥはＫＢＰＳを単位とするビットレートを値として持つ。
また、ＡＤＪＵＳＴは、録画開始のタイミングを微調整するために指定するもので、ミリ秒単位の時刻もしくはミリ秒を値として持つ。ミリ秒単位の時刻が指定された場合には、録画開始時刻として現在時刻をミリ秒単位で指定することができる。値としてミリ秒が指定された場合には、放送録画装置１１に再生開始の指示が通知されてから、実際に録画を開始するまでの時間をミリ秒単位で指定することができる。この属性は、ユーザが録画開始の操作を行ってから、実際に録画開始の制御信号が外部の放送録画装置１１に届くまでにかかる時間（タイムラグ）を考慮したものであり、録画開始のタイミングをミリ秒単位で制御することができる。すなわち、録画開始のボタンを操作した際の現在時刻が１０：００：００：０００であったとすると、１０：００：００：０００を値としてＡＤＪＵＳＴのコマンド属性を付加すれば、放送録画装置１１に対して１０：００：００：１００に録画開始コマンドが通知されたとしても、録画開始のボタンを操作した時刻（１０：００：００：０００）から録画を開始することができる。
また、ＡＤＪＵＳＴとして「−１００」が指定された場合には、放送録画装置１１に対して１０：００：００：１００に録画開始コマンドが通知されたとしても、１００ミリ秒だけ早くから、すなわち１０：００：００：０００から録画を開始することができる。
放送録画装置１１側でＡＤＪＵＳＴのコマンド属性に対応する方法としては、例えば、録画を開始する前のＳＴＡＮＤＢＹ状態のうちから録画時に記録する情報をリングバッファに一時的に保持しておくことにより、リングバッファに保持している時間だけ録画開始の指示が届く前から記録できるようにするなどの方法を採用することができる。
ところで、上述した説明では、ＵＮＴＩＬに付加される値を時刻としているが、長期間録画する場合を考慮して、付加される値として日付情報を含む構成としてもよい。同様に、ＡＤＪＵＳＴの場合にも、ミリ秒単位の時刻を指定する代わりに、ミリ秒単位の日時を指定する構成にしてもよい。
上述したように、第１の実施形態では、設定された録画パラメータは、ＦＯＲやＵＮＴＩＬ、ＢＩＴＲＡＴＥやＣＯＮＴＩＮＵＥのコマンド属性としてＲＥＣコマンドの制御信号に付加されており、結局１つの制御信号として通知する構成を説明しているが、録画パラメータを指示する制御信号と、録画開始を指示する制御信号に分けるなど２つ以上の制御信号を連続して通知するように構成してもよい。
図６は、制御部１０１における動作の一部を説明するためのフローチャートである。図６には、放送番組を視聴中に、録画／一時停止ボタン２０６が操作された場合の制御部１０１の動作を示している。
図６に示すように、放送番組を視聴中に、録画／一時停止ボタン２０６が操作され、当該イベントを受け付けると（Ｓ６０１）、外部の装置と接続中か否かの確認を行う（Ｓ６０２）。
ここで、外部の装置と接続されていなければ、接続処理を行い（Ｓ６０３）、ＳＴＡＴコマンドを外部の装置に通知し（Ｓ６０４）、その応答から放送録画装置１１の状態をチェックする（Ｓ６０５）。
ここで、外部の装置からの応答がＲＥＣリプライであった場合には、ＰＡＵＳＥコマンドを通知して、録画を一時中止させる（Ｓ６０６）。一方、ＲＥＣリプライではなかった場合には、録画パラメータが設定済みかどうかを判定する（Ｓ６０７）。
ここで、録画パラメータが設定されていなければ、録画パラメータ設定状態に遷移する（Ｓ６０８）。一方、録画パラメータが設定されていると判定された場合およびステップＳ６０８において録画パラメータが設定されると、録画パラメータの全部もしくは一部をディスプレイ２０１に表示する（Ｓ６０９）。第１の実施形態では、例えば、録画パラメータのうち、録画品質と継続録画かどうかを表示する。
続いて、ＲＥＣコマンドを通知して録画を開始もしくは再開させる（Ｓ６１０）。制御部１０１は、このような手順に従って動作することにより、放送録画装置１１がＲＥＣ状態なら録画の一時停止のコマンドを通知し、ＰＡＵＳＥ状態なら録画再開のコマンドを通知し、ＳＬＥＥＰ状態なら録画開始のコマンドを通知する。
また、録画を開始する場合には、設定されている録画パラメータが通知される。録画パラメータが設定される前であれば、録画パラメータ設定画面がユーザに提示され、ユーザにより適当な録画パラメータが設定される。第１の実施形態では、ＲＥＣコマンドの通知前に録画パラメータをユーザに提示するだけであり、ユーザに録画パラメータを提示するのとほぼ同時に録画を通知する構成となっているが、録画パラメータをユーザに提示した後に、ユーザに確認を求めるという構成にしてもよい。
例えば、録画パラメータの表示画面を確認画面にして、ユーザからＯＫが出たら録画を開始し、ＯＫがでなければＣＡＮＣＥＬされたと判断して録画の開始を止めるという構成にしてもよい。また、録画パラメータを提示する手段は、ディスプレイ２０１を用いた表示だけではなく、ＬＥＤ等を用いた表示でもよいし、音や振動により録画パラメータを提示してもよい。また、表示する方法も、録画パラメータを意味する値そのものではなく、アイコンを表示してもよい。
また、表示した録画パラメータについては、ＯＳＤで重ねることなどによって、録画中常時表示し続けるという構成にしてもよいし、一定時間後に消去することによって、一定時間だけ表示するような構成にしてもよい。
また、停止ボタン２０７が操作された場合には、制御部１０１は、ＮＯＷのコマンド属性を付加したＳＴＯＰコマンドを外部の装置に通知する。
また、終了時間変更ボタン２０８が操作された場合には、制御部１０１は、録画時間ディスプレイ２０２に表示中の録画終了予定時間に基づいて、録画終了予定時間を算出する。録画終了予定時間が未定で、録画時間ディスプレイ２０２に横線が表示されている場合に、例えば「３０」あるいは「−３０」のボタンを操作すると、３０分後に録画を終了し、「１」あるいは「−１」のボタンを操作すると、１分後に録画を終了するとして、録画終了予定時間を算出する。算出された録画終了予定時間は、ＵＮＴＩＬもしくはＦＯＲコマンド属性の値としてＳＴＯＰコマンドに付加されて外部の装置に通知される。
このように、ＮＯＷのコマンド属性が付加されたＳＴＯＰコマンドは、直ちに停止せよという要求を通知し、ＵＮＴＩＬもしくはＦＯＲが付加されたＳＴＯＰコマンドは、録画終了予定時間を通知する。
なお、録画を開始するときにはＲＥＣコマンドを通知するが、このとき録画パラメータ設定画面で設定された録画終了予定時間を値として、ＦＯＲのコマンド属性が付加される。
デフォルトの状態では、ＦＯＲには「３６００」のコマンド属性が付加される。この場合、６０分（３６００秒）後に録画を停止するような録画終了予定時間が自動的に通知され、ユーザが後から録画終了予定時間を入れたり、停止ボタン２０７を操作しなくても自動的に録画が終了する。
このとき、ＮＯＴＳＵＰのリプライが返されてくると、ＦＯＲの代わりにＮＯＷのコマンド属性を付加して、再度ＲＥＣコマンドの制御信号を通知する。１時間以外の時間で録画を停止したい場合には、終了時間変更ボタン２０８によって録画終了予定時間を変更するか、停止ボタン２０７を操作して録画を停止すればよい。
ユーザの操作に対する応答は、状態表示ＬＥＤ２０３を用いて表示する他に、ディスプレイ２０１を用いて表示することができる。以下、代表的な表示について説明する。
例えば、ユーザにより録画／一時停止ボタン２０６が操作され、放送録画装置１１への接続を行う際に、当該放送録画装置１１と接続ができない場合には、ディスプレイ２０１に「接続できません」というメッセージを２秒間表示する。また、ＦＯＲやＵＮＴＩＬのコマンド属性を付加したＲＥＣコマンドやＳＴＯＰコマンドでＮＯＴＳＵＰが返ってきた場合には、ディスプレイ２０１には、「録画終了予定時間には対応していません」というメッセージを２秒間表示する。ＮＯＷのコマンド属性を付加したＲＥＣのコマンドでＣＡＮＴが返ってきた場合には、「録画できません」というメッセージを２秒間表示する。また、ＰＡＵＳＥコマンドの応答として、ＣＡＮＴもしくはＮＯＴＳＵＰが返ってきた場合には、ディスプレイ２０１に、「一時停止はできません」というメッセージを２秒間表示する。
次に、本発明の第１の実施形態に係る放送録画装置１１について説明する。
図７は、本発明の第１の実施形態における放送録画装置１１側の構成を示すブロック図である。
第１の実施形態に係る放送録画装置１１は、図７に示すように、制御部７０１、通信部７０２、受信部７０３、番組復元部７０４および記録部７０５を備えている。なお、放送録画装置１１における受信部７０３および番組復元部７０４は、図１に示す放送受像装置１０における受信部１０２および番組復元部１０３と同一の動作を行うため、説明を省略する。
記録部７０５は、番組復元部７０４の出力として得られる映像信号および音声信号を所定の記録方法によって記録する。例えば、記録媒体が、ビデオカセットテープであればＶＨＳ方式などを適用することができ、記録媒体がハードディスク、メモリカードであればＭＰＥＧ−２方式などを適用することができる。なお、記録部７０５の記録媒体は、ハードディスク等のように取り外しができないものであってもよいし、ビデオカセットテープやメモリカード等のように取り外し可能なものであってもよい。また、記録媒体として、複数のハードディスクおよびメモリカードを一組として採用するなど、複数の記録媒体を同時に用いる構成にしてもよい。
通信部７０２は、外部の装置から制御信号を受信して制御部７０１に通知する。また、制御部７０１からの指示により、外部の装置へ応答信号を通知する。制御部７０１は、通信部７０２から制御信号が通知されると、通知された制御信号を解釈し、受信部７０３、番組復元部７０４、記録部７０５を動作させる。また、制御部７０１は、制御信号に応答する応答信号を生成し、通信部７０２を用いて外部の装置に応答する。
図８は、制御部７０１の詳細動作を説明するための状態遷移図である。なお、図８では、紙面の都合により、１つの表を（ａ）、（ｂ）に分割してある。
図８において、縦軸に放送録画装置１１の状態を示し、横軸に外部の装置からの制御信号（ここではコマンド）を示している。個々の欄には、コマンドを受信した場合における制御部７０１の動作が示されている。ただし、制御信号にエラーがある場合や、ＵＮＴＩＬ、ＦＯＲのコマンド属性が指定されている場合は除外している。制御部７０１の動作が複数の動作から構成されている場合には、（１）、（２）のように動作の順序を表す数字の後に個々の動作が示されている。また、欄の最後には、［ＯＫ］や［ＣＡＮＴ］のように制御部７０１が返すリプライが示されている。
図８では、現実には受信しないようなコマンドを含め全ての状態についての動作を示してあるが、これは放送録画装置１１側では、放送受像装置１０からどのようなコマンドを通知されるか分からないためである。例えば、第１の実施形態で説明した放送受像装置１０では、ＲＥＣボタンを操作した際には、常にＳＴＡＴコマンドによって放送録画装置１１の状態を確認するため、ＲＥＣ状態のときにＲＥＣコマンドを通知するということはないが、ここでは、コマンドを通知する端末を制限しないという意味で、全てのコマンドを受信し得る構成としている。
次に、放送録画装置１１がＳＬＥＥＰ状態であるときに、ＳＴＡＮＤＢＹコマンドを受信した場合について説明する。
ＳＴＡＮＤＢＹコマンドを受信すると、制御部７０１は、まず受信部７０３を起動する。このとき、制御部７０１は、ＳＴＡＮＤＢＹコマンドのコマンド属性ＣＨＧにより、指定されたチャンネル番号の放送番組を受信するように、受信部７０３を起動する。続いて、制御部７０１は、番組復元部７０４を起動する。最後に、通信部７０２に指示を出し、放送受像装置１０にリプライＯＫの応答信号を応答する。
上述した制御部７０１の動作によって、放送録画装置１１は、ＳＬＥＥＰ状態から、直ちに録画を始めることのできるＳＴＡＮＤＢＹ状態に遷移する。
図９は、制御部７０１の詳細動作の一部を説明するためのフローチャートである。
図９には、図８で示される制御部７０１の動作のうち、特にＳＬＥＥＰの行で示される動作について詳細を示した。ただし、このフローチャートでは、制御信号にエラーのある場合を省略している。
制御部７０１は、ＳＬＥＥＰ状態でコマンドを受信すると（ＳＴＡＲＴ）、コマンドがＳＴＡＴであるか否かを判定する（Ｓ１００１）。ここで、コマンドがＳＴＡＴであると判定された場合には、放送録画装置１１の状態を応答する（Ｓ１００２）。一方、コマンドがＳＴＡＴ以外であった場合には、コマンドがＲＥＣまたはＳＴＡＮＤＢＹであるか否かを判定する（Ｓ１００３）。
ここで、コマンドがＳＴＯＰ、ＰＡＵＳＥ、ＳＬＥＥＰの場合には、ＯＫの応答信号だけを返して（Ｓ１００８）、そのまま処理を終了する。一方、コマンドがＲＥＣまたはＳＴＡＮＤＢＹの場合には、受信部７０３を動作させる（Ｓ１００４）。ここでは、ＲＥＣもしくはＳＴＡＮＤＢＹのコマンド属性ＣＨＧによって、指定された放送番組の放送信号を受信するように動作させる。
続いて、番組復元部７０４を動作させ、放送信号から映像信号および音声信号を復元させ（Ｓ１００５）、コマンドがＲＥＣであるか否かを判定する（Ｓ１００６）。ここで、コマンドがＲＥＣであった場合には、記録部７０５を動作させ、録画を開始する（Ｓ１００７）。一方、コマンドがＲＥＣ以外、すなわちＳＴＡＮＤＢＹであった場合には、通信部７０２を用いて応答信号を応答する（Ｓ１００８）。
なお、図９に示すフローチャートでは、コマンドにエラーがある場合を想定していないので、リプライは全てＯＫとなっている。
次に、コマンドにＦＯＲやＵＮＴＩＬ、ＡＲＥＡのコマンド属性が付加されている場合について説明する。
ＲＥＣもしくはＳＴＡＮＤＢＹにＣＨＧとＡＲＥＡのコマンド属性が付加されていた場合には、制御部７０１は、ＡＲＥＡで指定されたエリア番号と放送録画装置１１のエリア番号とを比較する。そして、比較した結果が同一の番号であれば、指定された番組を受信するように、受信部７０３に指示を出す。一方、比較した結果が異なっていた場合には、第１の実施形態で説明する放送録画装置１１ではサポート外であるので、ＮＯＴＳＵＰのリプライを応答する。
次に、ＲＥＣもしくはＳＴＯＰのコマンドにおいて、ＦＯＲおよびＵＮＴＩＬのコマンド属性が付加されている場合について説明する。
ＦＯＲのコマンド属性が付加されている場合には、通知される録画予定時間を現在時刻に加算し終了予定時刻を計算し、この時刻がＵＮＴＩＬのコマンド属性として指定されたものとして処理する。現在時刻は、制御部７０１内にあるタイマが刻むものとする。ＵＮＴＩＬのコマンド属性が付加されていた場合、制御部７０１は、録画している間、随時内部タイマをチェックし、指定された時刻となると、録画を停止する。録画を停止する場合には、記録部７０５、番組復元部７０４、受信部７０３の順に停止する。
なお、第１の実施形態では、上述したように制御部７０１の中にタイマを設けることにより、録画終了予定時間の機能に対応していたが、ＦＯＲやＵＮＴＩＬのコマンド属性が送信されてきた場合には、ＮＯＴＳＵＰのリプライを応答する等の非対応の構成にしてもよい。
＜第２の実施形態＞
次に、本発明の第２の実施形態について説明する。
図１０は、本発明の第２の実施形態における放送録画装置１１側の構成を示すブロック図である。
本発明の第２の実施形態に係る放送録画装置１１は、図１０に示すように、制御部１００１、通信部１００２、受信部１００３、ＴＳ抽出部１００４、および記録部１００５から構成される。
以下、各部の詳細を説明する。
通信部１００２は、第１の実施形態に係る放送録画装置１１の通信部７０２と同一の動作を行うため説明を省略する。
受信部１００３は、基地局からの放送電波を受信し、ＲＦ処理および伝送路符号化方式の復調を行う。受信部７０３との違いは、トランスポートストリームの抽出までは行わないことである。第２の実施形態では、説明上の理由により、受信部７０３に属していたトランスポートストリームの抽出をＴＳ抽出部１００４に分離した。
ＴＳ抽出部１００４は、特定の放送番組のトランスポートストリームを抽出する。記録部１００５は、ハードディスクやメモリカードを記録媒体として、抽出されたトランスポートストリームを記録する。
上述した第１の実施形態の放送録画装置１１では、番組復元部７０４を備え、放送信号を映像信号および音声信号のレベルまで復元して録画を行ったが、第２の実施形態では、映像信号や音声信号までは復号せず、ディジタル放送をターゲットとして、トランスポートストリームレベルで録画することを特徴としている。
制御部１００１は、ＳＴＡＮＤＢＹ状態およびＲＥＣ状態において、番組復元部７０４の代わりにＴＳ抽出部１００４を動作させる点を除いて、第１の実施形態の放送録画装置１１と同一の動作を行う。
第２の実施形態では、トランスポートレベルで録画を行うため、再圧縮の必要がなく、機器の構成が簡略化できる。また、放送時の画質と比べて画質が劣化しないという特徴がある。
＜第３の実施形態＞
次に、本発明の第３の実施形態について説明する。
図１１は、本発明の第３の実施形態における放送録画装置１１側の構成を示すブロック図である。
第３の実施形態は、図１１に示すように、第１の実施形態に係る放送録画装置１１と比較して以下の点が異なっている。すなわち、第３の実施形態では、ディジタル放送信号を受信するための受信部１１０３と、受信したディジタル放送信号からトランスポートストリームを抽出するためのＴＳ抽出部１１０４とから受信部７０３を構成する。また、トランスポートストリームから圧縮された映像信号および音声信号を復号するための多重化復号部１１０５と、圧縮された映像信号と圧縮された音声信号から映像信号および音声信号を復号するための番組復号部１１０６とから番組復元部７０４を構成する。さらに、復号された映像信号および音声信号を所定の符号化方法および符号化パラメータによって圧縮するための番組圧縮部１１０７と、圧縮された映像信号および音声信号を所定の多重化方法によって多重化するための多重化部１１０８とを追加している。
通信部１１０２、受信部１１０３は、上述した第１の実施形態における通信部７０２、および受信部１００３と同一の動作を行うため説明を省略する。
番組圧縮部１１０７の構成例として、例えば、映像信号は、ＭＰＥＧ−１方式、ＭＰＥＧ−２方式、ＭＰＥＧ−４方式、Ｈ．２６１方式、Ｈ．２６３方式、モーションＪＰＥＧ方式、ＤＶ方式などで圧縮を行い、音声信号は、Ｇ７２６方式、ＭＰ３方式、ＭＰＥＧ−２ＢＣ方式、ＭＰＥＧ−２ＡＡＣ方式、ＧＳＭ−ＡＭＲ方式、ＷＭＡ方式などで圧縮を行う。
多重化部１１０８での多重化方法には、例えば、ＭＰＥＧ−４方式、ＭＰＥＧ−２ＴＳ、ＡＳＦ方式などがある。
記録部１１０９は、多重化された信号を記録する。記録媒体は、例えば、ハードディスクや、リムーバブルハードディスク、ＣＤ−Ｒ、ＣＤ−ＲＷ、書き換え可能ＤＶＤ、ＭＯ、メモリカード等を用いる。
制御部１１０１は、ＳＴＡＮＤＢＹ状態およびＲＥＣ状態において、番組復元部７０４の代わりにＴＳ抽出部１００４を動作させ、さらに、多重化復号部１１０５、番組復号部１１０６、番組圧縮部１１０７、多重化部１１０８も同時に動作させることを除くと、第１の実施形態の放送録画装置１１と同一の動作を行う。
第３の実施形態では、再圧縮を行うため、適当な圧縮方法、適当な多重化方法で録画することが可能であり、また画質も適当に選択することができる。
＜第４の実施形態＞
次に、本発明の第４の実施形態について説明する。
図１２は、本発明の第４の実施形態の構成を示すブロック図である。
第４の実施形態に係る遠隔制御装置１２は、図１２に示すように、放送受像装置１０と放送録画装置１１との間の橋渡しをするための装置である。具体的には、放送受像装置１０からの制御信号を解釈し、放送録画装置１１が受け付け可能な制御信号に変換して放送録画装置１１に通知する。
すなわち、第４の実施形態では、遠隔制御装置１２を通じて、放送受像装置１０からの要求を放送録画装置１１で実行する。この遠隔制御装置１２は、放送録画装置１１に予め付属するリモコンと考えることもできるし、放送録画装置１１の機能を高めるために後から追加するオプションと考えることもできる。
第４の実施形態では、橋渡しとしての役割を強調するため、放送受像装置１０のプロトコルと放送録画装置１１のプロトコルが異なる場合を説明する。
放送受像装置１０のプロトコルは、先に図５を用いて説明したプロトコルである。放送録画装置１１のプロトコルについては、後述する。
図１２に示す遠隔制御装置１２は、放送受像装置１０と通信を行う第１の通信部１２０２と、放送録画装置１１と通信を行う第２の通信部１２０３とを備え、さらに、第１の通信部１２０２および第２の通信部１２０３を用いて、放送受像装置１０からの制御信号を解釈して放送録画装置１１に通知するための制御部１２０１を備えている。
ここで、第１の通信部１２０２は、放送受像装置１０から受信した制御信号を制御部１２０１に通知するとともに、制御部１２０１からの指示により放送受像装置１０に応答信号を通知する。
また、第２の通信部１２０３は、制御部１２０１の指示により放送録画装置１１へ制御信号を通知する。第４の実施形態の場合、第２の通信部１２０３と放送録画装置１１の通信は、一方向通信とし、第２の通信部１２０３から放送録画装置１１への通信だけが可能である。これは、従来の放送録画装置１１が、赤外線リモコンからの一方向の通信だけを受け付けるものであるためである。第４の実施形態では一方向の通信で制御が可能になるので、従来の赤外線リモコンの代わりに第４の実施形態に係る遠隔制御装置１２を動作させることによって、従来の放送録画装置１１にも容易に適用することができる。
図１３は、第４の実施形態に係る放送録画装置１１の通信プロトコルの構成を示す説明図である。
放送録画装置１１への制御信号は、図１３に示すように、ＣＨＡＮＮＥＬ、ＳＴＡＲＴ、ＥＮＤのコマンドを備えている。各コマンドの意味は、番組設定、録画開始、録画終了の各要求を表す。
図１４は、第４の実施形態に係る制御部１２０１の動作を説明するための説明図であり、放送受像装置１０からコマンドを受けた場合の制御部１２０１の動作を示している。
図１４において、左側の列にはコマンドが示されており、中央の列には各コマンドを受信した場合に、遠隔制御装置１２が放送録画装置１１に通知するコマンドが示されており、右側の列には遠隔制御装置１２が放送受像装置１０に対して応答するリプライが示されている。
図１４に示すように、放送受像装置１０からＳＴＡＴコマンドを受け付けると、制御部１２０１は、放送録画装置１１に対してコマンドを通知せずに、放送受像装置１０にＮＯＴＳＵＰのリプライを返す。
これは、第４の実施形態の場合、遠隔制御装置１２から放送録画装置１１への通信は一方向であるため、放送録画装置１１の状態を遠隔制御装置１２が知ることはできないためである。ＰＡＵＳＥ、ＳＴＡＮＤＢＹ、ＳＬＥＥＰのコマンドを受け付けた場合も同様に、ＮＯＴＳＵＰのリプライを返す。
一方、放送受像装置１０からＲＥＣコマンドを受け付けた場合には、まず、放送録画装置１１に対してＣＨＡＮＮＥＬコマンドを通知して録画する番組を設定し、次にＳＴＡＲＴコマンドを通知して録画を開始する。この場合、放送受像装置１０にはＯＫのリプライを返す。
ＳＴＯＰコマンドを受け付けた場合には、制御部１２０１は放送録画装置１１にＥＮＤのコマンドを通知し、放送受像装置１０にはＯＫのリプライを返す。
＜第５の実施形態＞
次に、本発明の第５の実施形態について説明する。
第５の実施形態は、第４の実施形態において、遠隔制御装置１２と放送録画装置１１の間の通信を双方向通信としたものである。
図１５は、本発明の第５の実施形態の構成を示すブロック図である。
第５の実施形態に係る遠隔制御装置１２は、図１５に示すように、制御部１５０１、第１の通信部１５０２、および第２の通信部１５０３を備えており、第２の通信部１５０３が双方向通信可能となったこと以外、構成上は、上述した第４の実施形態と同一である。
図１６は、第５の実施形態に係る放送録画装置１１の通信プロトコルの構成を示す説明図である。
第５の実施形態では、図１６に示すように、放送録画装置１１への制御信号は、上述した第４の実施形態と同様に、ＣＨＡＮＮＥＬ、ＳＴＡＲＴ、ＥＮＤのコマンドを備えている。さらに、上述した３つのコマンドに対する応答として、ＲＵＮＮＩＮＧ、ＬＩＳＴＥＮＩＮＧのリプライを備えている。これらのリプライの意味は、各々、ＲＥＣ状態、ＳＬＥＥＰ状態を表す。
図１７は、第５の実施形態に係る制御部１５０１の動作を説明するための説明図であり、放送受像装置１０からコマンドを受けた場合の制御部１５０１の動作を示している。
図１７において、左側の列にはコマンドが示されており、中央の列には各コマンドを受信した場合に、遠隔制御装置１２が放送録画装置１１に通知するコマンドが示されており、右側の横の列には、遠隔制御装置１２が放送受像装置１０に応答するリプライが示されている。
図１４と同様に、一番左の列にはコマンドが示され、中央の列には、各コマンドを受信した場合に遠隔制御装置１２が放送録画装置１１に通知するコマンドが示されている。さらに右側の列には、遠隔制御装置１２が放送受像装置１０に対して応答するリプライが示されている。
なお、図示しないが、制御部１５０１は内部に状態取得部を備えており、放送録画装置１１と双方向の通信を行うことにより放送録画装置１１の状態を取得する。
第５の実施形態のプロトコルでは、ＣＨＡＮＮＥＬコマンドの通知によって状態の取得を行う。例えば、ＳＴＡＴコマンドを受け付けた場合には、放送録画装置１１に対してＣＨＡＮＮＥＬコマンドを通知して状態を取得する。実際には、ＣＨＡＮＮＥＬコマンドを受け付けた場合、放送録画装置１１は、ＲＵＮＮＩＮＧもしくはＬＩＳＴＥＮＩＮＧの応答を返すため、状態取得部は、この応答に基づいて放送録画装置１１の状態を取得することができる。
なお、第４の実施形態では一方向通信であったために、ＲＥＣやＳＴＯＰコマンドにおいてはＯＫリプライを応答するだけであったが、第５の実施形態では、放送録画装置１１からのリプライに応じて、ＣＡＮＴなどのリプライを応答することができるため、確実な制御が可能になる。
＜第６の実施形態＞
次に、本発明の第６の実施形態について説明する。
図１８は、本発明の第６の実施形態の構成を示すブロック図である。
第６の実施形態は、第４の形態形態を構成する２つの通信部１２０２、１２０３を１つにまとめたものであり、通信部の構成を除くと第４の実施形態と同一である。すなわち、第６の実施形態に係る遠隔制御装置１２は、図１８に示すように、制御部１８０１と、１つの通信部１８０２を備えており、遠隔制御装置１２と放送録画装置１１の間の通信は一方向通信となっている。
具体的には、第６の実施形態は、第４の実施形態における２つの通信部が同一の物理層を用いる場合に適用することができる。例えば、両者ともにイーサネット（Ｒ）を用いる場合や、赤外線通信、ＢＬＵＥＴＯＯＴＨ、無線ＬＡＮなどを用いる場合がこれに該当する。
第６の実施形態に係る制御部１８０１は、第４の実施形態と同様に、図１３を用いて説明した動作を行う。第４の実施形態と異なる点は、放送受像装置１０と通信する場合も、放送録画装置１１と通信する場合も、同一の通信部１８０２を用いる点である。
すなわち、通信部１８０２は、放送受像装置１０および放送録画装置１１との通信を行う。なお、制御部１８０１は、通信部１８０２を用いた通信において、その通信が放送受像装置１０との通信であるのか、放送録画装置１１との通信であるのかを識別できるものとする。
＜第７の実施形態＞
次に、本発明の第７の実施形態について説明する。
図１９は、本発明の第７の実施形態の構成を示すブロック図である。
第７の実施形態は、第５の実施形態を構成する２つの通信部１５０２、１５０３を１つにまとめたものであり、通信部の構成を除くと第５の実施形態と同一である。すなわち、第７の実施形態に係る遠隔制御装置１２は、図１９に示すように、制御部１９０１と、１つの通信部１９０２を備えており、遠隔制御装置１２と放送録画装置１１の間の通信は双方向通信となっている。
＜第８の実施形態＞
次に、本発明の第８の実施形態について説明する。
第８の実施形態は、第１の実施形態を拡張したものであり、放送受像装置１０と放送録画装置１１から構成される。
図２０は、本発明の第８の実施形態における放送受像装置１０側の構成を示すブロック図である。
第８の実施形態では、図２０に示すように、放送受像装置１０は、全体の制御を行うための制御部２００１と、基地局から放送電波を受信し、複数の放送番組をまとめた放送電波から１つの放送番組に対するトランスポートストリームを出力するための受信部２００２と、所定の多重化方法により多重化された放送信号から圧縮された映像信号および音声信号を復号するための多重化復号部２００３と、圧縮された映像信号および音声信号を復号し、圧縮前の映像信号および音声信号を出力するための番組復号部２００４と、ユーザからの操作を受け付けるとともに、映像信号および音声信号の再生を行うためのユーザＩＦ部２００５と、制御部２００１からの指示によって適当な制御信号を生成するための制御信号生成部２００６と、外部の装置へ制御信号を通知するとともに、外部の装置からの応答信号を受信し、さらに外部の装置から圧縮され多重化された映像番組を受信するための通信部２００７を備えている。
ここで、映像番組とは、映像と音声から構成される番組のことであり、放送番組だけとは限らないこととする。
映像番組としては、例えば、自分で撮影した映像をメモリーカード経由で放送録画装置１１に移したものや、インターネットからダウンロードした映像などがある。
まず始めに、第１の実施形態と第８の実施形態との機能上の相違を説明する。第１の実施形態に係る放送受像装置１０における番組復元部１０３は、第８の実施形態に係る放送受像装置１０の多重化復号部２００３と番組復号部２００４の組み合わせに対応し、第８の実施形態では、この組み合わせによって圧縮され多重化された映像番組から映像信号および音声信号を復元することができる。
第１の実施形態では、番組復元部１０３の入力が受信部１０２からのものに限られていたため、復元して再生できる番組は受信部１０２で受信する放送番組のみに限られていた。これに対してし、第８の実施形態の多重化復号部２００３は、通信部２００７からの入力も受け付けるため、外部の装置からの映像番組を復元して再生することも可能である。すなわち、通信部２００７で受信した映像番組を、多重化復号部２００３、番組復号部２００４で復号することにより、外部の装置から送信された映像番組を放送受像装置１０で再生することができる。
次に、第８の実施形態の放送受像装置１０の動作について説明する。
第８の実施形態の放送受像装置１０は、３つの動作モードを持っている。
第１の動作モードは、第１の実施形態と同じく、放送受像装置１０で受信した放送番組を受像するためのモードである。第２の動作モードは、外部の放送録画装置１１で受信した放送番組を放送受像装置１０で受像するためのモードである。第３の動作モードは、放送録画装置１１に記録されている映像番組を放送受像装置１０で再生するためのモードである。
第１の動作モードでは、放送番組を放送受像装置１０の受信部２００２で受信して受像するが、第２、第３の動作モードでは、外部の装置から送信される放送番組および映像番組を通信部２００７で受信して受像する。
また、第１、第２の動作モードには、放送受像装置１０で受像中の放送番組を放送録画装置１１側で録画する機能がある。第１の動作モードで録画される放送番組は、第１の実施形態と同様に、放送受像装置１０で受信し受像中の放送番組であるが、第２の動作モードで録画される放送番組は、放送録画装置１１で受信して放送受像装置１０で受像中の放送番組である。第３の動作モードは、再生専用のモードであり録画はできない。
第１の動作モードの場合、放送受像装置１０の動作は、第１の実施形態と同一の動作であるため説明を省略する。
第２の動作モードでは、放送録画装置１１で受信して圧縮多重化され、通信路に出力された放送番組を、通信部２００７で受信し、多重化復号部２００３、番組復号部２００４で復号し、ユーザＩＦ部２００５で再生することによって、放送録画装置１１で受信した放送番組を放送受像装置１０で受像する（図２０中の破線参照）。第２の動作モードにおいて、ユーザＩＦ部２００５から録画操作があった場合には、録画を開始するためのコマンドを放送録画装置１１に通知する  これにより、放送録画装置１１で受信し、放送受像装置１０で受像中の放送番組について、放送録画装置１１に録画を行わせることができる。この場合、制御部２００１が、制御信号生成部２００６に適当な制御信号を生成させ、通信部２００７を通じて放送録画装置１１に録画開始の制御信号を通知する。
第３の動作モードは、再生モードとリストモードを備えている。リストモードでは、放送録画装置１１に記録されている映像番組の一覧を表示し、ユーザに選択させる。リストモードにおいて、ユーザが一覧から１つの映像番組を選択すると、選択された映像番組を再生する再生モードに移行する。第３の動作モードにおける再生モードでは、放送録画装置１１から通信路に出力された記録済みの映像番組を、通信部２００７で受信し、多重化復号部２００３、番組復号部２００４で復号し、ユーザＩＦ部２００５で再生することによって、放送録画装置１１に記録された映像番組を放送受像装置１０で受像する。
図２１は、第８の実施形態における通信プロトコルを説明するための説明図である。
第８の実施形態におけるプロトコルは、第２、第３の動作モードに対応するため、図５に示すプロトコルと比較して、ＰＲＥＶＩＥＷコマンド、ＬＩＳＴコマンド、ＰＬＡＹコマンドが追加されている。また、リプライにも、ＰＲＥＶＩＥＷリプライ、ＰＲＯＧリプライ、ＰＬＡＹリプライが追加され、コマンド／リプライ属性には、ＶＩＥＷ、ＵＰ、ＤＯＷＮ、ＣＡＮＣＥＬ、ＩＤ、ＴＩＭＥが追加されている。
以下、追加されたコマンドについて順に説明する。なお、追加されたリプライ、コマンド／リプライ属性については、コマンドの説明の中で説する。まず、ＰＲＥＶＩＥＷコマンドについて説明する。
ＰＲＥＶＩＥＷコマンドは、放送受像装置１０の第２の動作モードに対応し、放送録画装置１１が受信中の放送番組を、所定の符号化方法および符号化パラメータで圧縮するとともに所定の多重化方法で多重化した形式で、放送録画装置１１に対して送信することを要求する。ＰＲＥＶＩＥＷコマンドのコマンド属性は、ＣＨＧ＆ＡＲＥＡ、ＵＰあるいはＤＯＷＮ、およびＣＡＮＣＥＬである。
ＰＲＥＶＩＥＷコマンドにＣＨＧ＆ＡＲＥＡのコマンド属性が付加されている場合には、このコマンド属性で指定された放送番組を、放送受像装置１０に送信することを要求する。これにより、放送録画装置１１から受信する放送番組を直接指定することができる。ＰＲＥＶＩＥＷコマンドのコマンド属性として、ＵＰもしくはＤＯＷＮコマンドが付加されている場合には、放送録画装置１１に受信中のチャンネル番号を順送りもしくは逆送りすることを要求する。
放送録画装置１１は、チャンネル番組の切り替えがあっても、受信した放送番組を引き続き放送受像装置１０に送信する。このように、ＵＰおよびＤＯＷＮのコマンド属性でチャンネル番号を切り替えることができるため、放送受像装置１０から直接ＣＨＧ＆ＡＲＥＡでは指定できない放送番組を受信することができる。
また、ＰＲＥＶＩＥＷコマンドは、ＣＡＮＣＥＬのコマンド属性を付加することができる。ＣＡＮＣＥＬのコマンド属性が付加されている場合には、そのＰＲＥＶＩＥＷコマンドは、放送録画装置１１に対して、放送番組の送信停止を要求する。ＣＡＮＣＥＬのコマンド属性は、値を持たない。ＰＲＥＶＩＥＷのコマンドのリプライは、ＯＫ｜ＮＯＴＳＵＰ｜ＥＲＲ｜ＣＡＮＴである。
第２の動作モード中にＳＴＡＴコマンドを受信した場合には、放送録画装置１１の状態を示すリプライはＰＲＥＶＩＥＷとなる。ＰＲＥＶＩＥＷのリプライは、リプライ属性としてＣＨＧ＆ＡＲＥＡを持っているので、放送録画装置１１から送信されてくる放送番組のチャンネル番号およびエリア番号を放送受像装置１０側でも知ることができる。
第２の動作モードでは、ユーザから受像中の番組の録画操作を受け付ける。第２の動作モードで受像中の放送番組を録画する際には、ＲＥＣのコマンドにＶＩＥＷのコマンド属性を付加して通知する。ＶＩＥＷとは、現在、放送録画装置１１から送信中の放送番組を録画対象の放送番組として指定するコマンド属性であり、値を持たない。ＶＩＥＷのコマンド属性によって、放送録画装置１１で受信し放送受像装置１０で受像中の放送番組について、放送録画装置１１に録画の開始を要求することができる。
次に、ＬＩＳＴコマンドについて説明する。
ＬＩＳＴコマンドは、放送受像装置１０の第３の動作モード（リストモード）に対応しており、放送録画装置１１に記録されている映像番組の一覧を取得するために用いられる。
ＬＩＳＴコマンドは、放送録画装置１１に記録されている映像番組の情報を要求する。ＬＩＳＴコマンドに対応するリプライは、ＰＲＯＧである。ＰＲＯＧのリプライは、１つの映像番組の情報を応答するものであり、放送録画装置１１に複数の映像番組が記録されている場合には、ＰＲＯＧ、・・・、ＰＲＯＧ、・・・、ＰＲＯＧのように繰り返し応答して、全ての映像番組の情報を応答する。映像番組の情報は、ＰＲＯＧのリプライ属性として通知される。ＰＲＯＧのリプライ属性は、ＩＤ＆ＴＩＭＥ＆（ＣＨＧ＆ＡＲＥＡ）＊である。
ＩＤは、個々の映像番組を識別するための識別子であり、ユニークな値を持つ。ＴＩＭＥは、記録された時間であり、０９：３０：００−１０：３０：００のように、録画開始時刻と録画終了時刻を値として持つ。（ＣＨＧ＆ＡＲＥＡ）＊で示すように、チャンネル番号およびエリア番号はオプションである。チャンネル番号およびエリア番号は、映像番組が放送番組の録画である場合に付加され、放送番組を受信したときのチャンネル番号およびエリア番号が通知される。ダウンロードした映像番組などでは、付加されない。
次に、ＰＬＡＹコマンドについて説明する。
ＰＬＡＹコマンドは、放送受像装置１０の第３の動作モード（再生モード）に対応し、放送録画装置１１に記録されている映像番組を放送受像装置１０で再生するために用いられる。ＰＬＡＹコマンドのコマンド属性はＩＤであり、ＩＤの値で示される映像番組を、所定の符号化方法および符号化パラメータで圧縮するとともに所定の多重化方法で多重化した形式で、放送受像装置１０に送信することを要求する。
図２２は、ユーザＩＦ部２００５の構成を示す模式図である。
ユーザＩＦ部２００５の構成に基づいて、第８の実施形態における放送受像装置１０が、どのような動作を行うかを具体的に説明する。
ユーザＩＦ部２００５は、図２２に示すように、番組復元部１０３で復元された映像信号を表示するためのディスプレイ２２０１と、録画開始時間および録画終了予定時間を表示するための録画時間ディスプレイ２２０２と、色と点滅状態により放送録画装置１１の状態を表示するための状態表示ＬＥＤ２２０３を、表示部として有し、さらに番組復元部１０３で復元された音声信号を再生するためのスピーカ２２０４を備えている。
また、ユーザＩＦ部２００５は、視聴する放送番組の変更操作を受け付けるためのチャンネル２２０５と、録画開始、録画の一時停止、録画再開、および再生の操作を受け付けるための再生／録画／一時停止ボタン２２０６と、録画の停止操作を受け付けるための停止ボタン２２０７と、録画終了予定時間の変更操作を受け付けるための終了時間変更ボタン２２０８と、ＳＴＡＮＤＢＹ状態とＳＬＥＥＰ状態との間の切り替え要求を受け付けるための録画待機／通常待機ボタン２２０９と、モードボタン２２１０およびモード状態ＬＥＤ２２１１を、操作部として備えている。
放送受像装置１０の動作は、制御部２００１の制御によって行われる。図２２に示すユーザＩＦ部２００５と、図２に示すユーザＩＦ部１０４との違いは、ユーザＩＦ部２００５では、モードボタン２２１０とモード状態ＬＥＤ２２１１が追加され、録画／一時停止ボタン２０６が、再生／録画／一時停止ボタン２２０６となった点である。
モード状態ＬＥＤ２２１１は、放送受像装置１０の現在のモードを色で表示する。すなわち、放送受像装置１０における第１の動作モードは緑色、第２の動作モードは青色、第３の動作モードは橙色で表示される。また、モードボタン２２１０が操作される毎に、放送受像装置１０は、第１の動作モード、第２の動作モード、第３の動作モード、第１の動作モードのように、動作モードがサイクリックに遷移する。
以下、各動作モードの詳細を、ユーザＩＦ部２００５との関係に基づいて説明する。
第１の動作モードでモードボタン２２１０が操作されると、第１の動作モードから第２の動作モードに遷移する。この際、制御部２００１は、例えばＰＲＥＶＩＥＷ  ＣＨＧ１  ＡＲＥＡ１０というＰＲＥＶＩＥＷコマンドの制御信号を放送録画装置１１に通知する。ＣＨＧで指定する値（ここでは「１」）は、第１の動作モードにおいて受信中の放送番組のチャンネル番号とし、ＡＲＥＡで指定する値（ここでは「１０」）は、放送受像装置１０の置かれたエリア番号とする。このような値を設定するのは、第２の動作モードに遷移した直後に受像する放送番組を、第１の動作モードで受信中の放送番組にするためである。
このＣＨＧおよびＡＲＥＡのコマンド属性により指定した放送番組が放送録画装置１１で受信可能であれば、その放送番組が放送受像装置１０に送信され、ディスプレイ２２０１に表示される。一方、受信できない場合には、放送受像装置１０には、放送録画装置１１で受像できる適当な放送番組が送信され、ディスプレイ２２０１には、その放送番組が表示されるものとする。どの放送番組が放送録画装置１１から送信され、通信部２００７で受信しているかは、ＳＴＡＴコマンドを送信した際のリプライからわかる。
第２の動作モードにおけるＳＴＡＴコマンドのリプライはＰＲＥＶＩＥＷであり、ＣＨＧ＆ＡＲＥＡのリプライ属性からどの放送番組が送信されているのかがわかる。ユーザにとっては、モードボタン２２１０を操作して第１の動作モードから第２の動作モードに遷移する際に、同じ番組がディスプレイ２２０１に表示されるか否かで、第１の動作モードにおいて放送受像装置１０で受信中の放送番組が、放送録画装置１１でも受信可能かどうかがわかる。
放送受像装置１０が第２の動作モードである場合に、チャンネル２２０５は、放送録画装置１１が受信し送信する放送番組の切り替え要求を受け付ける。例えば、「上」ボタンが操作された場合には、ＰＲＥＶＩＥＷ  ＵＰという制御信号が放送録画装置１１に通知され、「下」ボタンが操作された場合には、ＰＲＥＶＩＥＷ  ＤＯＷＮという制御信号が放送録画装置１１に通知される。このように第２の動作モードにおいては、チャンネル２２０５により、放送録画装置１１が受信し送信する放送番組の切り替えを行うことができる。
また、第２の動作モードにおいて、再生／録画／一時停止ボタン２２０６が操作された場合には、録画開始前の場合であれば、ＲＥＣコマンドにより、現在、放送録画装置１１から受信中の番組についての録画を要求する。先に説明したように、このときのＲＥＣコマンドのコマンド属性はＶＩＥＷとなる。
第２の動作モードにおいて、モードボタン２２１０が操作されると、放送受像装置１０は、第３の動作モードであるリストモードに遷移する。リストモードに遷移する場合に、制御部２００１は、まず放送録画装置１１に対してＣＡＮＣＥＬをコマンド属性とするＰＲＥＶＩＥＷコマンドを通知し、放送録画装置１１からの放送番組情報の送信を停止させる。次に、ＬＩＳＴのコマンドを通知して映像番組の一覧情報を取得する。制御部２００１は、続いて得られた映像番組の一覧をディスプレイ２２０１に表示する。
図２３は、リストモードにおけるディスプレイ２２０１の表示例を示す説明図である。
リストモードでは、図２３に示すように、画面の上から下に向かって映像番組の情報が示され、カーソルバー２３０２によって映像番組の選択が可能となっている。リストモードの場合に、チャンネル２２０５は、映像番組の選択に用いられる。チャンネル２２０５の「上」ボタンを操作すると、カーソルバー２３０２は上方向に移動し、チャンネル２２０５の「下」ボタンを操作すると、カーソルバー２３０２は下方向に移動する。カーソルバー２３０２が最上部に位置する場合に「上」ボタンが操作されたり、カーソルバー２３０２が最下部に位置する場合に「下」ボタンが操作された場合には、ページが切り替わる。
また、いずれかの映像番組がカーソルバー２３０２によって選択されている場合において、再生／録画／一時停止ボタン２２０６が操作されると、選択されている映像番組を再生するための再生モードに切り替わる。
この場合、制御部２００１は、ＰＬＡＹコマンドを放送録画装置１１に通知することによって、放送録画装置１１に対して、選択された映像番組の送信を要求する。ＰＬＡＹコマンドはコマンド属性としてＩＤを持っており、このＩＤの値によって、どの映像番組を要求するかが通知できる。
次に、モードボタン２２１０により、第３の動作モードから第１の動作モードに遷移する場合を説明する。
遷移前の動作モードが、第３の動作モードのうちのリストモードである場合に、制御部２００１は、受信部２００２、多重化復号部２００３、番組復号部２００４を動作させて適当な放送番組を受信し受像する。一方、遷移前のモードが、第３の動作モードのうちの再生モードである場合には、制御部２００１は、ＳＴＯＰコマンドを放送録画装置１１に通知して映像番組の送信を停止し、再生状態を終了した後、リストモードから遷移する時と同様にして、受信部２００２、多重化復号部２００３、番組復号部２００４を動作させて適当な放送番組を受信し受像する。
次に、第８の実施形態に係る放送録画装置１１について説明する。
第８の実施形態に係る放送録画装置１１は、第３の実施形態を拡張したものであり、先に説明した第８の実施形態の放送受像装置１０と対となるものである。ここで説明する放送録画装置１１は、第８の実施形態における第１の動作モードから第３の動作モードに対応する。以下、第８の実施形態に係る放送録画装置１１として５つの構成例を説明する。
＜放送録画装置の第１の構成＞
図２４は、第８の実施形態に係る放送録画装置１１の第１の構成を示すブロック図である。
第８の実施形態の第１の構成に係る放送録画装置１１は、図２４に示すように、制御部２４０１、通信部２４０２、受信部２４０３、ＴＳ抽出部２４０４、多重化復号部２４０５、番組復号部２４０６、番組圧縮部２４０７、多重化部２４０８、記録部２４０９を備えている。
第１の構成に係る放送録画装置１１における受信部２４０３、ＴＳ抽出部２４０４、多重化復号部２４０５、番組復号部２４０６、番組圧縮部２４０７、多重化部２４０８、記録部２４０９は、各々第３の実施形態における受信部１１０３、ＴＳ抽出部１１０４、多重化復号部１１０５、番組復号部１１０６、番組圧縮部１１０７、多重化部１１０８、記録部１１０９に対応し、同様の動作を行う。
第１の動作モードに対応する放送録画装置１１の動作は、第３の実施形態の放送録画装置１１の動作と同一であるため説明を省略する。
第２の動作モードとは、放送録画装置１１側から見ると、外部の放送受像装置１０に対して、圧縮、多重化された放送番組を送信し、さらに外部の装置から録画の制御信号を受信した場合には現在送信中の放送番組の録画を実行するものである。放送録画装置１１側では、多重化部２４０８から圧縮、多重化されて出力される放送番組は、記録部２４０９だけではなく、通信部２４０２にも入力される。入力された放送番組は、通信部２４０２を用いて放送受像装置１０に送信される。（図２４中の破線（２）参照）。
この第２の動作モード中に、外部の装置から通信部２４０２を介して録画開始の制御信号を受信した場合には、多重化部２４０８から圧縮、多重化されて出力される放送番組を、記録部２４０９を用いて所定の記録媒体に記録する（図２４中の破線（２）参照）。これにより、放送録画装置１１で受信し、放送受像装置１０で受像中の放送番組を、放送録画装置１１により録画することができる。
次に、第３の動作モードについて説明する。
第８の実施形態の第１の構成における第３の動作モードの再生モードとは、放送録画装置１１側から見ると、放送録画装置１１に記録されている映像番組を外部の装置に送信し、外部の放送受像装置１０で受像するものである。
第１の構成では、圧縮、多重化されて記録部２４０９に記録されている映像番組を、通信部２４０２により外部へ送信する（図２４中、点線（３）参照）。
また、第８の実施形態の第１の構成における第３の動作モードには、放送録画装置１１に記録されている映像番組の一覧を取得するというリストモードがある。
リストモードの実現方法の１つは、制御部２４０１が記録部２４０９の内部に記録されている情報を走査して、その結果から記録されている映像番組の情報を通信部２４０２を用いて通知することである。また、制御部２４０１や記録部２４０９に対して、記録部２４０９に記録されている映像番組の情報を予め保持しておき、リストモードでは、その情報に基づいて一覧情報を通知してもよい。
＜放送録画装置の第２の構成＞
次に、第８の実施形態に係る放送録画装置１１の第２の構成について説明する。第２の構成に係る放送録画装置１１は、第１の構成に係る放送録画装置１１を拡張したものである。
図２５は、第８の実施形態に係る放送録画装置１１の第２の構成を示すブロック図である。
第８の実施形態の第２の構成に係る放送録画装置１１は、図２５に示すように、制御部２５０１、通信部２５０２、受信部２５０３、ＴＳ抽出部２５０４、多重化復号部２５０５、番組復号部２５０６、番組圧縮部２５０７、多重化部２５０８、記録部２５０９を備えている。
第２の構成に係る放送録画装置１１における受信部２５０３、ＴＳ抽出部２５０４、多重化復号部２５０５、番組復号部２５０６、番組圧縮部２５０７、多重化部２５０８、記録部２５０９は、各々第３の実施形態における受信部１１０３、ＴＳ抽出部１１０４、多重化復号部１１０５、番組復号部１１０６、番組圧縮部１１０７、多重化部１１０８、記録部１１０９に対応し、同様の動作を行う。
第１の動作モードに対応する第２の構成に係る放送録画装置１１の動作は、第３の実施形態に係る放送録画装置１１の動作と同一であるため説明を省略する。
また、第２の動作モードにおいても、第１の構成とその動作は同一であるため説明を省略する（データの流れは、図２５中、破線（２）参照）。
第２の構成では、第３の動作モードにおいて、圧縮、多重化され記録部２５０９に記録されている映像番組に対して、再符号化を行って外部の装置に送信する。具体的には、記録部２５０９から出力される圧縮、多重化された映像番組を、多重化復号部２５０５で復号し、番組復号部２５０６で映像信号および音声信号に復号した上で、番組圧縮部２５０７で所定の符号化方法および符号化パラメータによって圧縮し、さらに多重化部２５０８で所定の多重化方法によって多重化することで再符号化を行う。再符号化された映像番組は、通信部２５０２により外部の装置へ送信される（図２５中、点線（３）参照）。
第２の構成では、記録部２５０９で記録された映像番組を、多重化復号部２５０５および番組復号部２５０６、番組圧縮部２５０７、多重化部２５０８を用いて再圧縮することにより、放送録画装置１１に記録されている映像番組を外部の放送受像装置１０で受像する場合（第３の動作モード）に、小さい通信容量の通信路を用いることができる。
＜放送録画装置の第３の構成＞
次に、第８の実施形態に係る放送録画装置１１の第３の構成について説明する。第３の構成に係る放送録画装置１１は、第２の構成に係る放送録画装置１１を拡張したものである。
図２６は、第８の実施形態に係る放送録画装置１１の第３の構成を示すブロック図である。
第８の実施形態の第３の構成に係る放送録画装置１１は、図２６に示すように、制御部２６０１、通信部２６０２、受信部２６０３、ＴＳ抽出部２６０４、第１の多重化復号部２６０５、第１の番組復号部２６０６、番組圧縮部２６０７、多重化部２６０８、記録部２６０９、第２の番組復号部２６１０、第２の多重化復号部２６１１を備えている。
第３の構成に係る放送録画装置１１における受信部２６０３、ＴＳ抽出部２６０４、第１の多重化復号部２６０５、第１の番組復号部２６０６、番組圧縮部２６０７、多重化部２６０８、記録部２６０９は、各々第３の実施形態の受信部１１０３、ＴＳ抽出部１１０４、多重化復号部１１０５、番組復号部１１０６、番組圧縮部１１０７、多重化部１１０８、記録部１１０９に対応し、同様の動作を行う。
第１の動作モードに対応する第３の構成に係る放送録画装置１１の動作は、第３の実施形態に係る放送録画装置１１の動作と同一であるため説明を省略する。
また、第２の動作モードにおいても、第１の構成と同様の動作を行うため説明を省略する（データの流れは、図２６中、破線（２）参照）。
第３の構成では、第３の動作モードの再生モードにおいて、圧縮、多重化され記録部２６０９に記録されている映像番組を、基本的には再符号化を行って外部の装置に送信する。具体的には、記録部２６０９から出力される圧縮、多重化された映像番組を、第２の多重化復号部２６１１で復号し、第２の番組復号部２６１０で映像信号および音声信号に復号した上で、番組圧縮部２６０７で所定の符号化方法および符号化パラメータによって圧縮し、さらに多重化部２６０８で所定の多重化方法によって多重化することで再符号化を行う。再符号化された映像番組は、通信部２６０２により外部の装置へ送信される（図２５中、点線（３）参照）。
このように、第３の構成では、第１の構成に対して第２の多重化復号部２６１１および第２の番組復号部２６１０を追加したことにより、記録部２６０９に記録された映像番組の多重化方法もしくは圧縮方法が、第１の多重化復号部２５０５および第１の番組復号部２５０６で対応していない場合であっても、第３の動作モードを実行することができる。
＜放送録画装置の第４の構成＞
次に、第８の実施形態に係る放送録画装置１１の第４の構成について説明する。第４の構成に係る放送録画装置１１は、第１の構成に係る放送録画装置１１を拡張したものである。
図２７は、第８の実施形態に係る放送録画装置１１の第４の構成を示すブロック図である。
第８の実施形態の第４の構成に係る放送録画装置１１は、図２７に示すように、制御部２７０１、通信部２７０２、受信部２７０３、ＴＳ抽出部２７０４、多重化復号部２７０５、番組復号部２７０６、第１の番組圧縮部２７０７、第１の多重化部２７０８、記録部２７０９、第２の多重化部２７１０、第２の番組圧縮部２７１１を備えている。
第４の構成に係る放送録画装置１１における受信部２７０３、ＴＳ抽出部２７０４、多重化復号部２７０５、番組復号部２７０６、番組圧縮部２７０７、多重化部２７０８、記録部２７０９は、各々第３の実施形態における受信部１１０３、ＴＳ抽出部１１０４、多重化復号部１１０５、番組復号部１１０６、番組圧縮部１１０７、多重化部１１０８、記録部１１０９に対応し、同様の動作を行う。
第１の動作モードに対応する第４の構成に係る放送録画装置１１の動作は、第３の実施形態に係る放送録画装置１１の動作と同一であるため説明を省略する。
また、第３の動作モードにおいても、第１の構成と同一の動作を行うのため説明を省略する（データの流れは、図２７中、点線（３）参照）。
第２の動作モードでは、第１の番組復号部２７０６で復号された映像信号および音声信号を、第２の番組圧縮部２７１１で所定の符号化方法および符号化パラメータによって圧縮し、さらに第２の多重化部２７１０で所定の多重化方法によって多重化し、最後に通信部２７０２を用いて放送受像装置１０に通知することで、外部の装置に放送録画装置１１が受信中の放送番組を送信する（図２７中、破線（２）参照）。
この第２の動作モード中に、外部の装置から通信部２７０２を介して録画開始の制御信号を受信した場合には、第１の番組圧縮部２７０７で所定の符号化方法および符号化パラメータによって圧縮し、第１の多重化部２７０８で所定の多重化方法によって多重化し、さらに記録部２７０９を用いて、所定の記録媒体に記録する（図２７中、破線（２）参照）。これにより、放送録画装置１１で受信し放送受像装置１０で受像中の放送番組を放送録画装置１１で録画することができる。
第４の構成に係る放送録画装置１１では、記録部２７０９で記録する場合と、外部の装置に送信する場合に同時に対応するため、圧縮部と多重化部について、第１、第２の２系統を備えている。このように、１つの系統だけで対応しない理由は、通信部２７０２を通じて送信する放送番組の画質や符号化方法、多重化方法と、記録部２７０９で記録される放送番組の画質や符号化方法、多重化方法を、異ならせることができるようにするためである。
＜放送録画装置の第５の構成＞
次に、第８の実施形態に係る放送録画装置１１の第５の構成について説明する。第５の構成に係る放送録画装置１１は、第３および第４の構成に係る放送録画装置１１を拡張したものである。
図２８は、第８の実施形態に係る放送録画装置１１の第５の構成を示すブロック図である。
第８の実施形態の第５の構成に係る放送録画装置１１は、図２８に示すように、制御部２８０１、通信部２８０２、受信部２８０３、ＴＳ抽出部２８０４、第１多重化復号部２８０５、第１の番組復号部２８０６、第１の番組圧縮部２８０７、第１の多重化部２８０８、記録部２８０９、第２の多重化部２８１０、第２の番組圧縮部２８１１、第２の番組復号部２８１２、第２の多重化復号部２８１３を備えている。
第５の構成に係る放送録画装置１１における受信部２８０３、ＴＳ抽出部２８０４、多重化復号部２８０５、番組復号部２８０６、番組圧縮部２８０７、多重化部２８０８、記録部２８０９は、各々第３の実施形態における受信部１１０３、ＴＳ抽出部１１０４、多重化復号部１１０５、番組復号部１１０６、番組圧縮部１１０７、多重化部１１０８、記録部１１０９に対応し、同様の動作を行う。
第１の動作モードに対応する第５の構成に係る放送録画装置１１の動作は、第５の実施形態に係る放送録画装置１１の動作と同一であるため説明を省略する。
また、第２の動作モードにおいても、第４の構成と同一の動作を行うのため説明を省略する（データの流れは、図２８中、破線（２）参照）。
次に、第３の動作モードについて説明する。
第５の構成では、圧縮、多重化されて記録部２８０９に記録されている映像番組を、基本的には再符号化を行って外部の装置に送信する。具体的には、記録部２８０９から出力される圧縮、多重化された映像番組を、第２の多重化復号部２８１３で復号し、第２の番組復号部２８１２で映像信号および音声信号に復号した上で、第２の番組圧縮部２８１１で所定の符号化方法および符号化パラメータによって圧縮し、さらに第２の多重化部２８１０で所定の多重化方法によって多重化することで再符号化を行う。再符号化された映像番組は、通信部２８０２により外部の装置へ送信される（図２８中、点線（３）参照）。
本発明に係る放送受像装置、放送録画装置および遠隔制御装置は、上述した構成を備えているため、以下の効果を奏することができる。
すなわち、本発明に係る放送受像装置では、放送受像装置で受信し受像中の番組と同一の番組を外部の装置で録画させるための制御信号と、録画パラメータを通知するための制御信号を生成して通知するための手段を備えることにより、放送受像装置のプロセッサ能力や記録容量に制限されることなく、宅外の放送受像装置で受信し受像中の番組と同一の番組を、ユーザの指定した適当な録画パラメータに基づいて宅内の放送録画装置で録画させることができる。また、制御部が、録画開始時に録画パラメータの全部もしくは一部をユーザに提示するため、ユーザは録画開始時に録画パラメータを知ることができる。
また、本発明に係る放送録画装置では、通常の放送録画装置に加えて、さらに放送受像装置で受信し受像中の番組と同一の番組を所定の録画パラメータに基づいて、外部の装置で録画させるための制御信号を受信し解釈するための手段を備えることにより、宅外の放送受像装置で視聴中の放送番組を、適当な録画パラメータで録画する際に、宅内の放送録画装置を用いることができる。
また、本発明に係る放送録画装置では、ディジタル放送を対象として、トランスポートストリームのまま記録することにより、上述した効果を簡易に実現することができる。
また、本発明に係る放送録画装置では、所定の符号化方法および符号化パラメータによって圧縮するための番組圧縮部と、所定の多重化方法によって多重化するための多重化部を備えることにより、ユーザにとって好適な画質、扱いやすいフォーマットにより、宅外の放送受像装置で視聴中の放送番組と同一の放送番組を、宅内の放送録画装置で録画することができる。
また、本発明に係る遠隔制御装置では、放送受像装置が扱うプロトコルと、放送録画装置が扱うプロトコル間の橋渡しを行うことにより、既存の放送録画装置を置き換えることなく、宅外の放送受像装置で視聴中の放送番組と同一の放送番組を、宅内の放送録画装置で録画することができる。
また、本発明に係る遠隔制御装置では、上述した遠隔制御装置における２つの通信部を１つにまとめることにより、より安価で小型な遠隔制御装置とすることができるとともに、上述した効果を得ることができる。
また、本発明に係る放送受像装置では、外部の装置から送信される映像番組を受信し復元するための手段を備えることにより、宅内の放送録画装置に記録された映像番組を、宅外の放送受像装置で視聴することができる。
また、本発明に係る放送受像装置では、外部の装置から送信される映像番組を受信し復元するための手段を備え、さらに放送受像装置で受信し受像中の番組と同一の番組を外部の装置で録画させるための制御信号を生成し通知するための手段を備えることにより、宅内の放送録画装置で受信した放送番組を宅外の放送受像装置で視聴し、さらにその視聴中の放送番組を、宅外の放送録画装置で録画することができる。
また、本発明に係る放送受像装置では、録画開始の制御信号を放送録画装置に通知する際に、同時に録画の終了予定時刻を指定することにより、遠隔地から受像中の番組を録画する際に、録画終了を行わなくても自動的に終了させることができる。
また、本発明に係る放送受像装置では、録画開始の制御信号を外部の放送録画装置に通知する際に、同時に録画の予定時間を指定することにより、遠隔地から受像中の番組を録画する際に、録画終了を行わなくても自動的に終了させることができる。
また、本発明に係る放送受像装置では、録画開始の制御信号を外部の放送録画装置に通知する際に同時に、録画の開始時刻を指定することによって、遠隔地から受像中の番組を録画する際に、録画開始を指示してから実際に録画されるまでのタイムラグを無くすことができる。
また、本発明に係る放送受像装置では、録画開始の制御信号を外部の放送録画装置に通知する際に同時に、外部の放送録画装置が録画開始の制御信号を受信する時間と、実際に外部の放送録画装置で記録が開始される時間と時間差を指定することにより、遠隔地から受像中の番組を録画する際に、録画開始を指示してから実際に録画されるまでのタイムラグを無くすことができる。
また、本発明に係る放送録画装置では、放送録画装置に記録された映像番組や、放送録画装置で受信した放送番組を外部の装置に送信することにより、宅内の放送録画装置に記録された映像番組や放送録画装置で受信した放送番組を宅外で視聴することができる。
また、本発明に係る放送録画装置では、記録部に記録された映像番組を復元するための手段と、圧縮し多重化するための手段とを備え、再圧縮して外部の装置に送信することにより、宅内の放送録画装置に記録された映像番組を、適当な映像品質で視聴することができる。また、再圧縮を行うため、通信路として通信容量の小さい通信路を用いることができる。
また、本発明に係る放送録画装置では、記録部に記録された映像番組を復号するための第２の多重化復号部および第２の番組復号部を備えることにより、第１の多重化復号部や第１の番組復号部では対応していない多重化方法、圧縮方法によって放送録画装置に記録された映像番組について宅外で視聴することができる。
また、本発明に係る放送録画装置では、放送録画装置で受信した放送番組を圧縮するための第２の番組圧縮部と、多重化するための第２の多重化部とを備え、再圧縮して外部の装置に送信することにより、宅内の放送録画装置に記録された映像番組や放送録画装置で受信した放送番組を、適当な画質で宅外で視聴することができる。また、再圧縮を行うため、通信路として通信容量の小さい通信路を用いることができる。
また、本発明に係る放送録画装置では、上述した放送録画装置の構成に加え、圧縮し多重化を行うための第２の番組圧縮部および第２の多重化部を備えることにより、第１の番組圧縮部や第１の多重化部では対応していない圧縮方法、多重化方法を用いて、外部の放送受像装置に映像番組を送信することができる。これにより、宅内の放送録画装置に記録された映像番組を宅外で視聴する場合において、宅外に送信する映像番組の圧縮方法および多重化方法を、宅外の受像装置で受像可能なものに合致させることができる。
産業上の利用可能性
以上のように、本発明は、プロセッサ能力や記録容量に制限されることなく、宅外の放送受像装置で受信し受像中の番組と同一の番組を、ユーザの指定した適当な録画パラメータに基づいて録画させることができるビデオテープレコーダ装置やハードディスク録画装置等に用いるのに適している。
【図面の簡単な説明】
図１は、本発明の第１の実施形態における放送受像装置側の構成を示すブロック図である。
図２は、図１におけるユーザＩＦ部の構成を示す模式図である。
図３は、本発明の第１の実施形態における通信シーケンスを示す説明図である。
図４は、本発明の第１の実施形態における制御信号および応答信号のプロトコルを示す説明図である。
図５は、本発明の第１の実施形態における通信プロトコルの構成を示す説明図である。
図６は、図１における制御部の詳細動作を示すフローチャートである。
図７は、本発明の第１の実施形態における放送録画装置側の構成を示すブロック図である。
図８は、図７における制御部の詳細動作を示す状態遷移図である。
図９は、図７における制御部の詳細動作を示すフローチャートである。
図１０は、本発明の第２の実施形態における放送録画装置側の構成を示すブロック図である。
図１１は、本発明の第３の実施形態における放送録画装置側の構成を示すブロック図である。
図１２は、本発明の第４の実施形態の構成を示すブロック図である。
図１３は、本発明の第４の実施形態に係る放送録画装置の通信プロトコルの構成を示す説明図である。
図１４は、図１２における制御部の動作を示す説明図である。
図１５は、本発明の第５の実施形態の構成を示すブロック図である。
図１６は、本発明の第５の実施形態に係る放送録画装置の通信プロトコルの構成を示す説明図である。
図１７は、図１５における制御部の動作を示す説明図である。
図１８は、本発明の第６の実施形態の構成を示すブロック図である。
図１９は、本発明の第７の実施形態の構成を示すブロック図である。
図２０は、本発明の第８の実施形態における放送受像装置側の構成を示すブロック図である。
図２１は、本発明の第８の実施形態における通信プロトコルを示す説明図である。
図２２は、図２０におけるユーザＩＦ部の構成を示す模式図である。
図２３は、図２２におけるディスプレイの表示例を示す説明図である。
図２４は、本発明の第８の実施形態に係る放送録画装置の第１の構成を示すブロック図である。
図２５は、本発明の第８の実施形態に係る放送録画装置の第２の構成を示すブロック図である。
図２６は、本発明の第８の実施形態に係る放送録画装置の第３の構成を示すブロック図である。
図２７は、本発明の第８の実施形態に係る放送録画装置の第４の構成を示すブロック図である。
図２８は、本発明の第８の実施形態に係る放送録画装置の第５の構成を示すブロック図である。
図２９は、本発明における録画パラメータ設定画面の表示例を示す説明図である。
【図１】
2003041399.tif 000003
【図２】
2003041399.tif 000004
【図３】
2003041399.tif 000005
【図４】
2003041399.tif 000006
【図５】
2003041399.tif 000007
【図６】
2003041399.tif 000008
【図７】
2003041399.tif 000009
【図８】
2003041399.tif 000010
【図９】
2003041399.tif 000011
【図１０】
2003041399.tif 000012
【図１２】
2003041399.tif 000013
【図１１】
2003041399.tif 000014
【図１３】
2003041399.tif 000015
【図１４】
2003041399.tif 000016
【図１５】
2003041399.tif 000017
【図１６】
2003041399.tif 000018
【図１７】
2003041399.tif 000019
【図１８】
2003041399.tif 000020
【図１９】
2003041399.tif 000021
【図２０】
2003041399.tif 000022
【図２１】
2003041399.tif 000023
【図２２】
2003041399.tif 000024
【図２３】
2003041399.tif 000025
【図２４】
2003041399.tif 000026
【図２５】
2003041399.tif 000027
【図２６】
2003041399.tif 000028
【図２７】
2003041399.tif 000029
【図２８】
2003041399.tif 000030
【図２９】
2003041399.tif 000031
【国際調査報告】
2003041399.tif 000032
2003041399.tif 000033
2003041399.tif 000034